(57)【要約】  電力管理システム１は、電力管理装置１０、計測装置４及び５、データベース６を備える。データベース６は、電気機器毎に、利用主体、電力を供給する場所、対応する計測装置、を特定するシステム情報を格納し、利用主体毎又は場所毎に設定され、電気機器２が電力を無駄に消費している場合を規定した無駄条件を格納する。電力管理装置１０は、システム情報に基づいて無駄条件と関係する電気機器及び計測装置を特定し、無駄条件から、特定した電気機器が電力を無駄にしていると判断できる判定条件を設定し、収集された電力情報又は環境情報が判定条件を満たす場合に、電力消費の無駄が発生していると判定する。
2012073714.tif 000002
【特許請求の範囲】
【請求項１】
外部から電力供給を受ける電気機器の消費電力を管理する電力管理装置と、前記電気機器の消費電力を特定する電力情報及び前記電気機器の周辺環境を特定する環境情報の一方又は両方を取得する計測装置と、データベースと、を備え、
前記データベースは、
前記電気機器毎に、当該電気機器を利用する利用主体、当該電気機器に電力を供給する場所、及び当該電気機器に対応する前記計測装置を特定する情報を、システム情報として格納し、更に、
予め、前記利用主体毎、又は前記電気機器が電力の供給を受けている場所毎に、前記電力情報及び前記環境情報の一方又は両方に基づいて設定され、且つ、前記電気機器が電力を無駄に消費している場合を規定している、無駄条件を格納し、
前記電力管理装置は、
前記システム情報に基づいて前記無駄条件と関係している電気機器及び計測装置を特定し、更に、前記無駄条件に基づいて、特定した電気機器が電力を無駄にしていると判断できる条件を設定する、無駄条件解釈部と、
前記計測装置が取得した前記電力情報及び前記環境情報の一方又は両方を収集する情報収集部と、
前記無駄解釈部が特定した計測装置から収集された前記電力情報及び前記環境情報の一方又は両方が、前記無駄解釈部によって設定された条件を満たすかどうかを判定し、満たす場合に、電力消費の無駄が発生していると判定する、電力分析部と、
を備えている、ことを特徴とする電力管理システム。
【請求項２】
前記利用主体が、利用者または複数の利用者が所属する組織であり、
前記無駄条件が、前記組織毎、又は前記場所毎に、設定されている、請求項１に記載の電力管理システム。
【請求項３】
当該電力管理システムが、前記計測装置として、前記電気機器の消費電力を特定する電力情報を取得する電力計測装置と、前記電気機器の周辺環境を特定する環境情報を取得する周辺計測装置と、を備えており、
前記情報収集部が、前記電力情報及び前記環境情報を収集し、そして収集の度に、前記電力情報が記録されたレコードと、前記環境情報が記録されたレコードとを作成し、
前記電力分析部が、
前記システム情報に基づいて、前記レコードに記録されている、前記電力情報と前記環境情報とを結び付け、更に、
前記電力情報が前記設定された条件を満たす場合は、前記電力情報が特定する消費電力が無駄であると判断し、前記環境情報が前記設定された条件を満たす場合は、前記環境情報に結び付けられた前記電力情報が特定する消費電力が無駄であると判断し、そして、
消費電力が無駄であると判断された前記電力情報のレコードに、前記消費電力が無駄であると判断されたことを示すマークを記録する、請求項１または２に記載の電力管理システム。
【請求項４】
前記電力管理装置が、前記電力分析部による判定の結果、前記情報収集部が収集した前記電力情報、及び前記情報収集部が収集した前記環境情報のうち、少なくとも一つを、外部の表示装置の画面に表示させる、表示部を更に備えている、請求項１〜３のいずれかに記載の電力管理システム。
【請求項５】
前記電力管理装置が、前記情報収集部が収集した前記電力情報を、外部の表示装置の画面に表示させる、表示部を更に備え、
前記表示部は、外部からの指示に応じて、前記電力情報が記録されたレコードのうち、前記マークが記録されているレコードを特定し、特定したレコードに記録されている前記電力情報を前記画面に表示する際に、前記電力情報によって特定される消費電力が無駄である旨も表示する、請求項３に記載の電力管理システム。
【請求項６】
当該電力管理システムが、前記電気機器の動作を制御する制御装置を更に備え、
前記電力管理装置が、前記制御装置に対して、前記電気機器の消費電力が低下するように指示を行う、機器制御部を更に備えている、
請求項１〜５のいずれかに記載の電力管理システム。
【請求項７】
前記機器制御部が、前記無駄解釈部によって特定された計測装置から収集した前記電力情報及び前記環境情報の一方又は両方が、前記無駄解釈部によって設定された条件を満たすかどうかを判定し、満たす場合に、前記制御装置に対して、前記電気機器の消費電力が低下するように指示を行う、
請求項６に記載の電力管理システム。
【請求項８】
外部から電力供給を受ける電気機器の消費電力を特定する電力情報または前記電気機器の周辺環境を特定する環境情報を取得する計測装置を用いて、前記電気機器の消費電力を管理する電力管理装置であって、
無駄条件解釈部と、情報収集部と、電力分析部とを備え、
前記無駄条件解釈部は、
前記電気機器毎に、当該電気機器を利用する利用主体、当該電気機器に電力を供給する場所、及び当該電気機器に対応する前記計測装置を特定する、システム情報に基づいて、
前記利用主体毎、又は前記電気機器が電力の供給を受けている場所毎に、予め、前記電力情報及び前記環境情報の一方又は両方に基づいて設定され、且つ前記電気機器が電力を無駄に消費している場合を規定した、無駄条件と関係している、電気機器及び計測装置を特定し、
更に、前記無駄条件に基づいて、特定した電気機器が電力を無駄にしていると判断できる条件を設定し、
前記情報収集部は、前記計測装置が取得した前記電力情報及び前記環境情報の一方又は両方を収集し、
前記電力分析部は、前記無駄解釈部が特定した計測装置から収集された前記電力情報及び前記環境情報の一方又は両方が、前記無駄解釈部によって設定された条件を満たすかどうかを判定し、満たす場合に、電力消費の無駄が発生していると判定する、
ことを特徴とする電力管理装置。
【請求項９】
外部から電力供給を受ける電気機器の消費電力を特定する電力情報または前記電気機器の周辺環境を特定する環境情報を取得する計測装置を用いて、前記電気機器の消費電力を管理するための電力管理方法であって、
（ａ）前記電気機器毎に、当該電気機器を利用する利用主体、当該電気機器に電力を供給する場所、及び当該電気機器に対応する前記計測装置を特定する、システム情報に基づいて、
前記利用主体毎、又は前記電気機器が電力の供給を受けている場所毎に、予め、前記電力情報及び前記環境情報の一方又は両方に基づいて設定され、且つ前記電気機器が電力を無駄に消費している場合を規定した、無駄条件と関係している、電気機器及び計測装置を特定する、ステップと、
（ｂ）前記無駄条件に基づいて、前記（ａ）のステップで特定した電気機器が電力を無駄にしていると判断できる条件を設定する、ステップと、
（ｃ）前記計測装置が取得した前記電力情報及び前記環境情報の一方又は両方を収集する、ステップと、
（ｄ）前記（ａ）のステップで特定した計測装置から、前記（ｃ）のステップで収集された前記電力情報及び前記環境情報の一方又は両方が、前記（ｂ）のステップで設定された条件を満たすかどうかを判定し、満たす場合に、電力消費の無駄が発生していると判定する、ステップと、
を有する、ことを特徴とする電力管理方法。
【請求項１０】
外部から電力供給を受ける電気機器の消費電力を特定する電力情報または前記電気機器の周辺環境を特定する環境情報を取得する計測装置を用いた、前記電気機器の消費電力の管理を、コンピュータによって実行するためのプログラムを記録したコンピュータ読み取り可能な記録媒体であって、
前記コンピュータに、
（ａ）前記電気機器毎に、当該電気機器を利用する利用主体、当該電気機器に電力を供給する場所、及び当該電気機器に対応する前記計測装置を特定する、システム情報に基づいて、
前記利用主体毎、又は前記電気機器が電力の供給を受けている場所毎に、予め、前記電力情報及び前記環境情報の一方又は両方に基づいて設定され、且つ前記電気機器が電力を無駄に消費している場合を規定した、無駄条件と関係している、電気機器及び計測装置を特定する、ステップと、
（ｂ）前記無駄条件に基づいて、前記（ａ）のステップで特定した電気機器が電力を無駄にしていると判断できる条件を設定する、ステップと、
（ｃ）前記計測装置が取得した前記電力情報及び前記環境情報の一方又は両方を収集する、ステップと、
（ｄ）前記（ａ）のステップで特定した計測装置から、前記（ｃ）のステップで収集された前記電力情報及び前記環境情報の一方又は両方が、前記（ｂ）のステップで設定された条件を満たすかどうかを判定し、満たす場合に、電力消費の無駄が発生していると判定する、ステップと、
を実行させる、命令を含むプログラムを記録している、コンピュータ読み取り可能な記録媒体。
【発明の詳細な説明】
【技術分野】
【０００１】
本発明は、外部電源によって駆動される電気機器の消費電力を管理する電力管理システム、それを構成する電力管理装置、更には、電力管理方法、及びこれらを実現するためのプログラムを記録したコンピュータ読み取り可能な記録媒体に関する。
【背景技術】
【０００２】
現在、温室効果ガスの排出削減は、世界的な問題として認識されており、我が国でも、とりわけ民生部門での消費電力の増加が、著しく問題視されている。この問題を解決するため、従来から、建築物（住宅、オフィスビル等）のフロア毎、または配電盤及び分電盤といった電力系統毎に、計測したエネルギー消費量を収集及び分析し、得られた分析結果を表示するシステムが提案されている。このシステムによれば、対象となったフロアまたは電力系統に関係する管理者及び利用者は、この分析結果を、視覚的に把握することができる。【０００３】
このようなシステムは、一般的にはエネルギーマネジメントシステムと呼ばれている。特に、エネルギーマネジメントシステムのうち、家庭で使用されるものはＨＥＭＳ（ホームエネルギーマネジメントシステム（Home Energy Management System））と呼ばれ、オフィスビル内で使用されるものはＢＥＭＳ（ビルエネルギーマネジメントシステム（Building Energy Management System））と呼ばれている。【０００４】
ところで、従来からのエネルギーマネジメントシステムには、次の様な問題がある。つまり、従来からのエネルギーマネジメントシステムは、建築物に直接埋め込まれている設備（照明、空調設備等）の消費電力量についてはフロア単位で把握できるが、コンセント等の電力供給口に接続されている電気機器の消費電力量については把握できないという問題である。結果、コンセントに接続されている電気機器が有効に電力を消費しているかどうかの分析が不可能であるため、削減計画の立案、および実際の電力消費量の削減は、困難である。【０００５】
このような問題を解決するために、特許文献１は、電気機器が接続されるコンセントと、通信機能を有するターミナルと、コントローラとを備えた電力管理システムを開示している。特許文献１に開示された電力管理システムの動作は以下の通りである。【０００６】
先ず、各ターミナルが、各電気機器の消費電力量を計測し、計測した消費電力量をコントローラに出力する。コントローラは、各電気機器の消費電力量に基づいて、各電気機器について、現在の消費電力量及び消費電力量の時間毎の推移を求め、更に、全電気機器トータルの現在の消費電力量及び消費電力量の時間毎の推移も求める。そして、コントローラは、得られた情報を表示画面に表示させる。【０００７】
また、コントローラは、電気機器の現在の総消費電力等を表示画面に表示すると共に、総消費電力量が、電力会社との契約により定められている最大消費電力量を超えそうな場合には、その旨を、警告メッセージ及びアラーム音などによりユーザに通知する。この結果、突然ブレーカーが落ちてしまう事態の発生が抑制される。更に、ユーザは、電気を使いすぎていないかどうかを簡単に確認することができる。【０００８】
このように、特許文献１に開示された電力管理システムによれば、上述の問題は、解消できるが、更なる電力消費量の削減の観点からは、以下の問題が残っている。即ち、特許文献１に開示された電力管理システムでは、各電気機器の消費電力量が最大消費電力量を超えそうな場合に、ユーザに警告等を行うことは可能であるが、最大消費電力量を越さない状況下で無駄に使用されている電力を把握して、これを削減することは困難である。【０００９】
一方、特許文献２は、電気機器が及ぼす状況を検知する検知手段と、電気機器が消費する電力を制御する電力制御手段と、判定条件を当該システムに入力する判定条件入力手段と、入力された判定条件を記憶する判定条件記憶手段と、判定手段と、電力制御駆動手段とを備えた、電力管理システムを開示している。【００１０】
特許文献２に開示された電力管理システムにおいて、判定条件は、検知手段が検知した結果に基づいて、各電気機器の電力を制御するかどうかを判断する際に用いられる条件である。判定手段は、検知手段で検知した結果が判定条件に適合する場合に、各電気機器に対して定められた電力制御を行う、と判定する。電力制御駆動手段は、判定手段が判定した結果に従って、電力制御手段を用いて電気機器が消費する電力を制御する。【００１１】
このように、特許文献２に開示された電力管理システムでは、予め個別の電気機器ごとに電力を制御する条件を設定することができる。従って、特許文献２に開示された電力管理システムによれば、電気機器毎に、設定した条件に基づいて電力消費を節減できることから、特許文献１における問題を解消することができると考えられる。
【先行技術文献】
【特許文献】
【００１２】
【特許文献１】特開平０９−８４１４６号公報
【特許文献２】特開２００９−７０３３９号公報
【発明の概要】
【発明が解決しようとする課題】
【００１３】
しかしながら、特許文献２に開示された電力管理システムには、次の２つの問題がある。第１の問題は、特許文献２に開示された電力管理システムでは、コンセントに接続されている電気機器を利用する側の状況、即ち、電力が消費されている場所、電力を消費している主体（個人または組織）といった点を考慮して、コンセントから先の電力消費を分析できないという問題である。以下に、第１の問題について具体的に説明する。【００１４】
先ず、電力は、部屋に設けられたコンセントを介して供給されており、つまり、「場所」の単位で供給されている。また、電力を消費するのは、電気機器であり、その電気機器を利用者が使用する事によって、電力の消費が発生する。よって、「どこで」、「誰が」、「何を」使って、電力を消費したのかを把握しなければ、詳細な電力消費の実態を分析することは困難である。従って、電力消費の分析では、電気機器、電源の供給場所（コンセントの設置場所など）、及び電気機器の利用者を予め関連付けておく必要がある。【００１５】
これに対して、特許文献２に開示された電力管理システムでは、上述の情報の関連付けは行われていないため、「どこで」、「誰が」、どの電気機器を使ったのかを把握することは、不可能である。従って、第１の問題が発生してしまう。【００１６】
更に、企業においては、組織的に業務が遂行されるため、個人の利用形態よりも、組織単位での利用形態を分析することが重要となるが、この場合は、電気機器、電源の供給場所、及び電気機器の利用者が所属する組織を予め関連付けておく必要がある。しかし、特許文献２に開示された電力管理システムでは、同様の理由から、組織全体でどの電気機器をどれだけ利用したかを把握することも不可能であり、この点からも第１の問題が発生してしまう。【００１７】
第２の問題は、特許文献２に開示された電力管理システムでは、管理対象となる電気機器の数が増加すればする程、消費電力の集計、分析、及び削減が困難になるという問題である。以下に、第２の問題について具体的に説明する。【００１８】
先ず、特許文献２に開示された電力管理システムには、接続されている電気機器１つ１つに対して情報収集及び制御を行う機能は備えられているが、電気機器それぞれの情報をまとめて収集したり、制御したりする機能は備えられていない。よって、例えば、オフィスビル内の全ての機器の消費電力を分析して、消費電力を削減しようとする場合では、特許文献２に開示された電力管理システムは、多数存在する電気機器一台一台に対して個別に情報を収集し、更に機器毎に別々に制御する必要がある。【００１９】
しかし、特許文献２に開示された電力管理システムに、このような処理を行わせるには、多大なる時間と手間とが必要となることから、現実的には困難である。このため、第２の問題が発生してしまう。【００２０】
本発明の目的の一例は、上記問題を解消し、電気機器を利用する側の状況を考慮して消費電力の分析を行い得、且つ、管理対象となる電気機器の数の増加にも対応し得る、電力管理システム、電力管理装置、電力管理方法、及びコンピュータ読み取り可能な記録媒体を提供することにある。
【課題を解決するための手段】
【００２１】
上記目的を達成するため、本発明の一側面における電力管理システムは、外部から電力供給を受ける電気機器の消費電力を管理する電力管理装置と、前記電気機器の消費電力を特定する電力情報及び前記電気機器の周辺環境を特定する環境情報の一方又は両方を取得する計測装置と、データベースと、を備え、
前記データベースは、
前記電気機器毎に、当該電気機器を利用する利用主体、当該電気機器に電力を供給する場所、及び当該電気機器に対応する前記計測装置を特定する情報を、システム情報として格納し、更に、
予め、前記利用主体毎、又は前記電気機器が電力の供給を受けている場所毎に、前記電力情報及び前記環境情報の一方又は両方に基づいて設定され、且つ、前記電気機器が電力を無駄に消費している場合を規定している、無駄条件を格納し、
前記電力管理装置は、
前記システム情報に基づいて前記無駄条件と関係している電気機器及び計測装置を特定し、更に、前記無駄条件に基づいて、特定した電気機器が電力を無駄にしていると判断できる条件を設定する、無駄条件解釈部と、
前記計測装置が取得した前記電力情報及び前記環境情報の一方又は両方を収集する情報収集部と、
前記無駄解釈部が特定した計測装置から収集された前記電力情報及び前記環境情報の一方又は両方が、前記無駄解釈部によって設定された条件を満たすかどうかを判定し、満たす場合に、電力消費の無駄が発生していると判定する、電力分析部と、
を備えている、ことを特徴とする。【００２２】
また、上記目的を達成するため、本発明の一側面における電力管理装置は、外部から電力供給を受ける電気機器の消費電力を特定する電力情報または前記電気機器の周辺環境を特定する環境情報を取得する計測装置を用いて、前記電気機器の消費電力を管理する電力管理装置であって、
無駄条件解釈部と、情報収集部と、電力分析部とを備え、
前記無駄条件解釈部は、
前記電気機器毎に、当該電気機器を利用する利用主体、当該電気機器に電力を供給する場所、及び当該電気機器に対応する前記計測装置を特定する、システム情報に基づいて、
前記利用主体毎、又は前記電気機器が電力の供給を受けている場所毎に、予め、前記電力情報及び前記環境情報の一方又は両方に基づいて設定され、且つ前記電気機器が電力を無駄に消費している場合を規定した、無駄条件と関係している、電気機器及び計測装置を特定し、
更に、前記無駄条件に基づいて、特定した電気機器が電力を無駄にしていると判断できる条件を設定し、
前記情報収集部は、前記計測装置が取得した前記電力情報及び前記環境情報の一方又は両方を収集し、
前記電力分析部は、前記無駄解釈部が特定した計測装置から収集された前記電力情報及び前記環境情報の一方又は両方が、前記無駄解釈部によって設定された条件を満たすかどうかを判定し、満たす場合に、電力消費の無駄が発生していると判定する、
ことを特徴とする。【００２３】
更に、上記目的を達成するため、本発明の一側面における電力管理方法は、外部から電力供給を受ける電気機器の消費電力を特定する電力情報または前記電気機器の周辺環境を特定する環境情報を取得する計測装置を用いて、前記電気機器の消費電力を管理するための電力管理方法であって、
（ａ）前記電気機器毎に、当該電気機器を利用する利用主体、当該電気機器に電力を供給する場所、及び当該電気機器に対応する前記計測装置を特定する、システム情報に基づいて、
前記利用主体毎、又は前記電気機器が電力の供給を受けている場所毎に、予め、前記電力情報及び前記環境情報の一方又は両方に基づいて設定され、且つ前記電気機器が電力を無駄に消費している場合を規定した、無駄条件と関係している、電気機器及び計測装置を特定する、ステップと、
（ｂ）前記無駄条件に基づいて、前記（ａ）のステップで特定した電気機器が電力を無駄にしていると判断できる条件を設定する、ステップと、
（ｃ）前記計測装置が取得した前記電力情報及び前記環境情報の一方又は両方を収集する、ステップと、
（ｄ）前記（ａ）のステップで特定した計測装置から、前記（ｃ）のステップで収集された前記電力情報及び前記環境情報の一方又は両方が、前記（ｂ）のステップで設定された条件を満たすかどうかを判定し、満たす場合に、電力消費の無駄が発生していると判定する、ステップと、
を有する、ことを特徴とする。【００２４】
そして、上記目的を達成するため、本発明の一側面におけるコンピュータ読み取り可能な記録媒体は、外部から電力供給を受ける電気機器の消費電力を特定する電力情報または前記電気機器の周辺環境を特定する環境情報を取得する計測装置を用いた、前記電気機器の消費電力の管理を、コンピュータによって実行するためのプログラムを記録したコンピュータ読み取り可能な記録媒体であって、
前記コンピュータに、
（ａ）前記電気機器毎に、当該電気機器を利用する利用主体、当該電気機器に電力を供給する場所、及び当該電気機器に対応する前記計測装置を特定する、システム情報に基づいて、
前記利用主体毎、又は前記電気機器が電力の供給を受けている場所毎に、予め、前記電力情報及び前記環境情報の一方又は両方に基づいて設定され、且つ前記電気機器が電力を無駄に消費している場合を規定した、無駄条件と関係している、電気機器及び計測装置を特定する、ステップと、
（ｂ）前記無駄条件に基づいて、前記（ａ）のステップで特定した電気機器が電力を無駄にしていると判断できる条件を設定する、ステップと、
（ｃ）前記計測装置が取得した前記電力情報及び前記環境情報の一方又は両方を収集する、ステップと、
（ｄ）前記（ａ）のステップで特定した計測装置から、前記（ｃ）のステップで収集された前記電力情報及び前記環境情報の一方又は両方が、前記（ｂ）のステップで設定された条件を満たすかどうかを判定し、満たす場合に、電力消費の無駄が発生していると判定する、ステップと、
を実行させる、命令を含むプログラムを記録していることを特徴とする。
【発明の効果】
【００２５】
以上の特徴により、本発明によれば、電気機器を利用する側の状況を考慮して消費電力の分析を行うことができ、更に、管理対象となる電気機器の数の増加にも対応できる。
【図面の簡単な説明】
【００２６】
【図１】図１は、本発明の実施の形態における電力管理システム及び電力管理装置の構成を示すブロック図である。
【図２】図２は、利用主体情報データベースの構成の一例を示す図である。
【図３】図３は、場所情報データベースの構成の一例を示す図である。
【図４】図４は、周辺装置情報データベースの構成の一例を示す図である。
【図５】図５は、電気機器情報データベースの構成の一例を示す図である。
【図６】図６は、無駄条件データベースの構成の一例を示す図である。
【図７】図７は、計測値データベースの構成の一例を示す図である。
【図８】図８は、本発明の実施の形態１における電力管理装置の動作を示す流れ図である。
【図９】図９は、図８に示したステップＡ３を具体的に示す流れ図である。
【図１０】図１０は、図８に示したステップＡ４を具体的に示す流れ図である。
【図１１】図１１は、本発明の実施例における電力管理システム全体の概略構成を示す構成図である。
【図１２】図１２は、本発明の実施例における電力管理システムの構成を示すブロック図である。
【図１３】図１３は、本発明の実施例における電力管理装置の動作を示す流れ図である。
【図１４】図１４は、図１３に示したステップＳ１を具体的に示す流れ図である。
【図１５】図１５は、図１３に示したステップＳ２を具体的に示す流れ図である。
【図１６】図１６は、本発明の実施例で用いられるログインインターフェースの一例を示す図である。
【図１７】図１７は、本発明の実施例で用いられるメニューインターフェースの一例を示す図である。
【図１８】図１８は、本発明の実施例で用いられる利用主体登録インターフェイスの一例を示す図である。
【図１９】図１９は、本発明の実施例で用いられる場所登録インターフェイスの一例を示す図である。
【図２０】図２０は、本発明の実施例で用いられる周辺装置登録インターフェイスの一例を示す図である。
【図２１】図２１は、本発明の実施例で用いられる無駄条件登録インターフェイスの一例を示す図である。
【図２２】図２２は、本発明の実施例で用いられる動作モード設定インターフェイスの一例を示す図である。
【図２３】図２３は、本発明の実施例で用いられる電気機器登録インターフェイスの一例を示す図である。
【図２４】図２４は、本発明の実施例で用いられる消費電力表示インターフェイスの一例を示す図である。
【図２５】図２５は、本発明の実施の形態における電力管理装置１０を実現するコンピュータの一例を示すブロック図である。
【発明を実施するための形態】
【００２７】
（実施の形態）
以下、本発明の実施の形態における、電力管理システム、電力管理装置、電力管理方法及びプログラムについて、図１〜図１０を参照しながら説明する。
【００２８】
［システムの構成］
最初に、本実施の形態における電力管理システム及び電力管理装置の構成について図１を用いて説明する。図１は、本発明の実施の形態における電力管理システム及び電力管理装置の構成を示すブロック図である。
【００２９】
図１に示すように、本実施の形態における電力管理システム１は、外部から電力供給を受ける電気機器２の消費電力を管理する電力管理装置１０と、計測装置４及び５と、データベース６とを備えている。
【００３０】
計測装置４は、本実施の形態では、電気機器の消費電力を特定する電力情報を取得する電力計測装置である。計測装置５は、本実施の形態では、電気機器２の周辺環境を特定する環境情報を取得する環境計測装置である。以降の説明では、計測装置４が「電力計測装置４」と表記され、計測装置５が「環境計測装置５」と表記される場合もある。
【００３１】
データベース６は、電気機器２毎に、電気機器２を利用する利用主体、電気機器２に電力を供給する場所、及び電気機器２に対応する計測装置を特定する情報を、システム情報として格納する。また、データベース６は、電気機器２が電力を無駄に消費している場合を規定している無駄条件も格納する。無駄条件は、予め、利用主体毎、又は電気機器２が電力の供給を受けている場所毎に、電力情報及び環境情報の一方又は両方に基づいて設定されている。
【００３２】
また、図１に示すように、電力管理装置１０は、情報収集部１１と、無駄条件解釈部１２と、電力分析部１３とを備えている。
【００３３】
無駄条件解釈部１２は、システム情報に基づいて無駄条件と関係している電気機器２及び計測装置（電力計測装置４及び環境計測装置５の一方又は両方）を特定し、更に、無駄条件に基づいて、特定した電気機器２が電力を無駄にしていると判断できる条件（判定条件）を設定する。
【００３４】
情報収集部１１は、電力計測装置４が取得した電力情報と、環境計測装置５が取得した環境情報とを収集する。電力分析部１３は、無駄解釈部１２が特定した計測装置から収集された電力情報及び環境情報の一方又は両方が、無駄解釈部１２によって設定された判定条件を満たすかどうかを判定する。また、電力分析部１３は、判定条件が満たされる場合は、電力消費の無駄が発生していると判定する。
【００３５】
このように、電力管理システム１では、利用主体毎、または場所毎に、無駄条件が設定されていることから、利用する側の状況を考慮して、電力が無駄に消費されているかどうかが判定されることになる。また、電力消費が無駄かどうかを判断するための無駄条件は、利用主体単位で、または場所単位で設定され、一つの電気機器に対して設定しても良いし、多数の電気機器に対して設定しても良い。よって、一つのコンセント毎に、電力消費が無駄かどうかを判定する必要はないため、電力管理システム１によれば、管理対象となる電気機器の数が増加しても対応できる。
【００３６】
ここで、電力管理システム１及び電力管理装置１０の構成を更に具体的に説明する。図１に示すように、本実施の形態において、電力管理システム１は、上述した構成に加え、更に、制御装置３を備えている。制御装置３は、電気機器２の動作を制御する装置であり、例えば、電気機器２の電源のＯＮ及びＯＦＦを行う機能、または電気機器２の動作を遠隔制御する機能を備えている。制御装置３の具体例としては、コンセントなどの電力供給口と電気機器２との間の電力供給経路に配置された電力リレーが挙げられる。
【００３７】
また、電気機器２への電力供給が無線によって行われる場合は、制御装置３と電気機器２との接続は無線によって行うことができる。更に、電気機器２が、コンピュータ、またはコンピュータを備えた機器である場合は、制御装置３は、このコンピュータにインストールされるプログラムによって実現することもできる。
【００３８】
また、図１に示すように、電力管理システム１は、計測装置として、電力計測装置４と環境計測装置５とを備えているが、本実施の形態は、この態様に限定されるものではない。例えば、電力管理システム１は、電力計測装置４及び環境計測装置５のうちどちらか一方のみを備えていても良い。
【００３９】
更に、電力計測装置４及び環境計測装置５は、電力管理装置１０に接続されるが、これらの接続方式は特に限定されず、有線接続であっても良いし、無線接続であっても良い。また、接続に用いられるプロトコルも特に限定されるものではない。加えて、電力計測装置４は、電気機器２の内部に備えられていても良い。更に、電気機器２が、コンピュータ、またはコンピュータを備えた機器である場合は、電力計測装置４は、このコンピュータにインストールされるプログラムによって実現することもできる。
【００４０】
また、本実施の形態では、環境計測装置５としては、例えば、人感センサ、温度センサといった各種センサ装置が挙げられる。環境計測装置５が人感センサの場合、「電気機器２の周辺に存在する人の数」を特定する環境情報が取得される。また、環境計測装置５が温度センサの場合、「電気機器２の周辺の温度」を特定する環境情報が取得される。
【００４１】
更に、図１の例では、一台の電気機器２と、これに対応する、電力計測装置４、環境計測装置５、及び制御装置３のみが図示されているが、本実施の形態においては、電気機器２、計測装置、及び制御装置の数は特に限定されるものではない。
【００４２】
［データベース］
データベース６は、本実施の形態では、利用主体情報データベース２０と、場所情報データベース３０と、周辺装置情報データベース４０と、電気機器情報データベース５０とを備えている。本実施の形態では、各データベースが格納している情報によって、上述したシステム情報が構成されている。
【００４３】
また、本実施の形態では、各データベースへの情報の格納は、後述するように、外部からの指示に応じて、電力管理装置１０の情報登録部１００によって行われる。更に、データベース６は、図１の例では、電力管理装置１とは別のコンピュータによって構築されているが、本実施の形態は、データベース６が電力管理装置１内に構築されている態様であっても良い。
【００４４】
ここで、図２〜図６を用いて、データベース６の構成を具体的に説明する。図２は、利用主体情報データベースの構成の一例を示す図である。図３は、場所情報データベースの構成の一例を示す図である。図４は、周辺装置情報データベースの構成の一例を示す図である。図５は、電気機器情報データベースの構成の一例を示す図である。図６は、無駄条件データベースの構成の一例を示す図である。
【００４５】
［利用主体情報データベース］
利用主体情報データベース２０（以下「利用者主体情報ＤＢ２０」とする。）は、電気機器を利用する利用主体を特定する情報（利用主体情報）を格納する。ここで、利用主体とは、個人の利用者、または複数の利用者が所属する組織を意味する。本実施の形態においては、「利用者」としては、建築物のエネルギー消費を管理する管理者、建築物で活動する組織（家庭又は企業等）のエネルギー消費を管理する電力管理者、更に、建築物内に配置されている電気機器２を利用する利用者が想定されている。
【００４６】
また、利用主体情報は、例えば、利用主体を識別する識別子、利用者が所属している組織、組織間の関連（階層構造等)などを含む。ここで、利用主体情報ＤＢ２０の構造の一例を、図２を用いて説明する。図２の例では、利用主体情報ＤＢ２０は、以下のスキーマによって構成されており、これらが「利用者情報」に相当する。また、利用者情報は、後述する情報登録部１００によって、利用主体情報ＤＢ２０に登録される。
【００４７】
図２に示すように、識別子フィールドＴ２０１は、「利用主体となる個人または組織を識別する識別子」を格納する。名前フィールドＴ２０２は、「利用主体となる利用者個人の名前」、または「利用主体となる組織の名称」を格納する。所属先フィールドＴ２０３は、「利用主体が個人の場合はその所属先となる組織の識別子」、「利用主体が組織の場合はその識別子」を格納する。
【００４８】
種別フィールドＴ２０４は、「利用主体の種別」を格納する。具体的には、種別フィールドＴ２０４フィールドには、「個人」を特定する値、または「組織」を特定する値が格納される。なお、利用主体情報ＤＢ２０としては、同様の情報を有している既存のディレクトリサービス等を用いることもできる。
【００４９】
［場所情報データベース］
場所情報データベース３０（以下「場所情報ＤＢ３０」とする。）は、電気機器に電力を供給する場所を特定する情報（場所情報）を格納する。場所情報は、例えば、建物の名称、所在地、フロアの階数、部屋番号、コンセント番号などを含む。ここで、場所情報ＤＢ３０の構造の一例を、図３を用いて説明する。図３の例では、場所情報ＤＢ３０は、以下のスキーマによって構成されており、これらが「場所情報」に相当する。また、場所情報は、後述する情報登録部１００によって、場所情報ＤＢ３０に登録される。
【００５０】
図３に示すように、場所識別子フィールドＴ３０１は、「電気機器２に電力を供給する場所を識別する識別子」を格納する。場所名フィールドＴ３０２は、「場所の名称」を格納する。存在場所フィールドＴ３０３は、「当該場所が存在しているエリアの識別子」を格納する。
【００５１】
なお、存在エリアフィールドＴ３０３に格納されている情報は、場所識別子フィールドＴ３０１の場所識別子によって特定される場所を含むエリアの識別子である。場所識別子によって特定される場所が上位の存在場所（エリア）を持たない場合は、存在場所フィールドＴ３０３には、存在場所が存在しない事を示す値が格納される。例えば、「０００００」が、エリアの識別子として用いられていない場合は、存在場所フィールドＴ３０３には、上位の存在場所が無い事を示す値として「０００００」が格納される。
【００５２】
［周辺装置情報データベース］
周辺装置情報データベース（以下「周辺装置情報ＤＢ４０」とする。）４０は、電力計測装置４、環境計測装置５及び制御装置３に関する情報（周辺装置情報）を格納する。周辺装置情報は、例えば、各周辺装置の種別、各周辺装置を識別するための識別子、動作時に使用されるＩＰアドレス、動作時に使用される命令等を含む。なお、本明細書では、計測装置と制御装置とをまとめて「周辺装置」とする。
【００５３】
ここで、周辺装置情報ＤＢ４０の構造の一例を、図４を用いて説明する。図４の例では、周辺装置情報ＤＢ４０は、以下のスキーマによって構成されており、これらが「周辺装置情報」に相当する。また、周辺装置情報は、後述する情報登録部１００によって、周辺装置ＤＢ４０に登録される。
【００５４】
図４に示すように、装置識別子フィールドＴ４０１は、「周辺装置を識別する識別子」を格納する。装置種別フィールドＴ４０２は、「周辺装置の種別」を格納する。装置種別フィールドＴ４０２に格納されている情報により、計測装置及び制御装置のいずれであるかが区別される。また、装置種別フィールドＴ４０２は、計測装置について、更に、計測装置の具体的な種類、すなわち環境計測装置５（例えば人感センサ）なのか、電力計測装置４なのかを区別するためにも使用される。
【００５５】
装置名フィールドＴ４０３は、「周辺装置の名称」を格納する。アドレスフィールドＴ４０４は、「周辺装置の動作時に使用されるＩＰアドレス」を格納する。命令フィールドＴ４０５は、周辺装置が制御装置である場合に、制御装置を制御するために、制御装置に対して発行する「命令」を格納する。
【００５６】
また、命令フィールドＴ４０５は、周辺装置が計測装置であり、この計測装置が自動的に値を送信する機能を備える場合は、使用されない。更に、命令フィールドＴ４０５は、例えば、ハッシュ値を格納する場合と同様の構造を備えることができ、キーワードなどのキーと機器制御部１４が制御装置３に対して発行する命令（値）とのペアで構成された情報を複数個保持することもできる。
【００５７】
［電気機器情報データベース］
電気機器情報データベース（以下「電気機器情報ＤＢ」とする。）５０は、管理対象となる電気機器２についての情報を電気機器情報として格納する。電気機器情報は、例えば、電気機器２を識別するための識別子、電気機器の種別、電気機器を利用する利用主体、電気機器が利用される場所、対応する周辺装置（電力計測装置４、環境計測装置５、制御装置３）の識別子等を含む。
【００５８】
ここで、電気機器情報ＤＢ５０の構造の一例を、図５を用いて説明する。図５の例では、電気機器情報ＤＢ５０は、以下のスキーマによって構成されており、これらが「電気機器情報」に相当する。また、電気機器情報は、後述する情報登録部１００によって、電気機器情報ＤＢ５０に登録される。
【００５９】
図５に示すように、機器識別子フィールドＴ５０１は、「電気機器を識別する識別子」を格納する。機器種別フィールドＴ５０２は、「電気機器の種別」を格納する。また、機器種別フィールドＴ５０２は、例えば、消費電力を集計する際の分類に用いられ、後述する電力消費の無駄条件において電気機器２を指定する際に使用される。具体的には、機器種別フィールドＴ５０２には、「ＰＣ」、「複合機」等の種別が格納される。
【００６０】
機器名フィールドＴ５０３は、「電気機器の名称」を格納する。利用主体フィールドＴ５０４は、「電気機器２を利用する利用主体」を格納する。また、利用者フィールドＴ５０４は、例えば、利用主体情報ＤＢ２０の識別子フィールドＴ２０１が格納している値（利用主体の識別子）を格納する。更に、利用者フィールドＴ５０４は、電気機器が組織単位で利用されている場合は、この組織の識別子を格納する。
【００６１】
利用場所フィールドＴ５０５は、「電気機器が利用される場所」を格納する。利用場所フィールドＴ５０５は、例えば、場所情報ＤＢ３０の場所識別子フィールドＴ３０１が格納している値（場所識別子）を格納する。
【００６２】
制御装置フィールドＴ５０６は、「電気機器２を制御する制御装置の識別子」を格納する。制御装置フィールドＴ５０６は、例えば、周辺装置情報ＤＢ４０の装置識別子フィールドＴ４０１に格納されている値（装置識別子）を格納する。また、この場合は、当該装置識別子フィールドＴ４０１と同じレコードに存在する、装置種別フィールＴ４０２には、装置種別として「制御装置」が格納されている（図４参照）。
【００６３】
電力計測フィールドＴ５０７は、「電力計測装置の識別子」を格納する。電力計測フィールドＴ５０７も、例えば、周辺装置情報ＤＢ４０の装置識別子フィールドＴ４０１に格納されている値（装置識別子）を格納する。また、この場合は、当該装置識別子フィールドＴ４０１と同じレコードに存在する、装置種別フィールドＴ４０２には、装置種別として「電力計測装置」が格納されている（図４参照）。
【００６４】
環境計測フィールドＴ５０８は、「環境計測装置の識別子」を格納する。環境計測フィールドＴ５０８も、例えば、周辺装置情報ＤＢ４０の場所識別子フィールドＴ４０１に格納されている値（装置識別子）を格納する。また、この場合は、当該装置識別子フィールドＴ４０１と同じレコードに存在する、装置種別フィールドＴ４０２には、装置種別として「制御装置」及び「電力計測装置」以外が格納されている（図４参照）。
【００６５】
［無駄条件データベース］
無駄条件データベース（以下「無駄条件ＤＢ」とする。）６０は、電気機器が電力を無駄に消費されている場合を規定している無駄条件を格納する。また、無駄条件は、本実施の形態では、組織毎、または場所毎に、電力情報及び環境情報の一方又は両方に基づいて設定される。
【００６６】
ここで、無駄条件ＤＢ６０の構造の一例を、図６を用いて説明する。図６の例では、無駄条件ＤＢ６０は、以下のスキーマによって構成されており、これらが「無駄条件」に相当する。また、無駄条件は、後述する情報登録部１００によって、無駄条件ＤＢ６０に登録される。
【００６７】
図６に示すように、識別子フィールドＴ６０１は、「無駄条件の識別子」を格納する。所属種別フィールドＴ６０２は、当該無駄条件が「組織」及び「場所」のいずれに所属しているのか（即ち、いずれについて設定されているのか）を示す情報を格納する。
【００６８】
所属識別子フィールドＴ６０３は、「当該無駄条件が所属している組織の識別子」、または「当該無条件が所属している場所の識別子」を格納する。例えば、所属種別フィールドＴ６０２の値が「組織」を示す場合は、所属種別フィールドＴ６０３には、利用主体情報ＤＢ２０の識別子フィールドＴ２０１に格納されている値（図２参照）が格納される。一方、所属種別フィールドＴ６０２の値が「場所」を示す場合は、所属種別フィールドＴ６０３には、場所情報ＤＢ３０の場所識別子フィールドＴ３０１に格納されている値（図３参照）が格納される。
【００６９】
無駄条件フィールドＴ６０４は、「無駄条件の内容」を格納する。本実施の形態において、無駄条件フィールドＴ６０４での記述方式、文法、記述の解釈方式などは特に限定されるものではない。無駄条件フィールドＴ６０４に格納される情報としては、対象とする電気機器の種別、対応する計測装置の種別、電気機器が無駄な電力を消費する場合の計測装置の出力値、判定条件（出力値を基準として、等しい、大きい、小さい等を示す比較演算子）、無駄に電力が消費されている場合に、機器制御部１４が制御装置に対して出力する命令等が挙げられる。
【００７０】
更に、無駄条件フィールドＴ６０４では、一台一台、電気機器２、電力計測装置４、環境計測装置５を指定しなくても良い。これは、無駄条件が、組織毎、または場所毎に設定され、無駄条件の適用がグループ単位で行われることから、対応する、電気機器２、電力計測装置４、及び環境計測装置５をまとめ指定できることによる。
【００７１】
また、本実施の形態では、図６には示していないが、無駄条件ＤＢ６０は、電力管理装置１０の動作モードを記憶する。例えば、電力管理装置１０を消費電力の分析目的でのみ動作させ、消費電力の削減まで行わない場合は、電力管理装置１０は「分析モード」に設定されるので、無駄条件ＤＢ６０は、動作モードとして「分析モード」を記憶する。一方、電力管理装置１０を消費電力の削減目的で動作させる場合は、電力管理装置１０は「削減モード」に設定されるので、無駄条件ＤＢ６０は、動作モードとして「削減モード」を記憶する。なお、モードの初期設定は「分析モード」とされている。
【００７２】
［電力管理装置の構成］
続いて、電力管理装置１０の構成を更に具体的に説明する。図１に示すように、本実施の形態では、電力管理装置１０は、情報収集部１１、無駄条件解釈部１２、電力分析部１３、及び機器制御部１４に加えて、表示部１５と、記憶部１６と、情報登録部１００と、認証部１０１とを備えている。
【００７３】
記憶部１６は、情報収集部１１によって収集された電力情報及び環境情報を記憶する。本実施の形態では、記憶部１６の記憶領域には、計測値データベース（以下「計測値ＤＢ」とする）７０が構築されている。情報収集部１１は、電力情報及び環境情報を取得すると、取得の度に、計測値ＤＢ７０において、電力情報が記録されたレコードと、環境情報が記録されたレコードとを作成する。なお、情報収集部１１は、電力管理装置１０の動作モードに関係なく動作する。
【００７４】
ここで、計測値ＤＢ７０の構造の一例を、図７を用いて説明する。図７は、計測値データベースの構成の一例を示す図である。図７の例では、計測値ＤＢ７０は、以下のスキーマによって構成されている。
【００７５】
図７に示すように、日時フィールドＴ７０１は、情報収集部１１によって登録された「計測値を計測した日時」を格納する。計測装置識別子フィールドＴ７０２は、情報収集部１１によって登録された「情報収集部による情報の収集先となった計測装置の識別子」を格納する。計測装置識別子フィールドＴ７０２に格納されている値は、周辺装置情報ＤＢ４０の装置識別子フィールドＴ４０１に格納されている値（図４参照）となる。また、周辺装置情報ＤＢ４０において、その装置識別子フィールドＴ４０１と同一のレコードに存在する装置種別フィールドＴ４０２には、「制御装置」以外の装置が格納されている。
【００７６】
計測値フィールドＴ７０３は、情報収集部１１によって登録された「計測値」を格納する。「計測値」は、情報収集部１１によって収集された情報から特定される値であり、電力情報によって特定される消費電力の値、または環境情報によって特定される周辺環境を表す数値である。無駄マークフィールドＴ７０４は、後述する電力分析部１３によって登録される「無駄な消費電力である事を示すフラグ」を格納する。
【００７７】
また、無駄条件解釈部１２は、本実施の形態では、情報収集部１１による各計測装置からの情報の収集及び計測値ＤＢ７０への格納と並行して、無駄条件ＤＢ６０に登録されているレコードの無駄条件フィールドＴ６０４（無駄条件）の解釈を行う。そして、無駄条件解釈部１２は、解釈の結果に基づき、電気機器情報を参照して、解釈の対象となった無駄条件と関係している、着目すべき電気機器及び計測機器を特定する。更に、無駄条件解釈部１２は、解釈の結果に基づき、特定した電気機器及び計測機器とその時の計測値とから構成される判定条件を設定する。
【００７８】
また、本実施の形態では、電力管理装置１０の動作モードが「分析モード」である場合、無駄条件解釈部１２は、設定した判定条件を電力分析部１３に伝達する。一方、電力管理装置１０の動作モードが「削減モード」である場合、無駄条件解釈部１２は、設定した判定条件を機器制御部１４に伝達する。
【００７９】
電力分析部１３は、判定条件が伝達されると、判定条件に基づいて、計測値ＤＢ７０に新たに記録されたレコードを検査し、判定条件に一致するレコードを特定する。そして、電力分析部１３は、判定条件に一致したレコードが存在している場合は、その時の電気機器２の消費電力を確認する。
【００８０】
そして、判定条件が図６に示した無駄条件から設定されているとすると、確認の結果、消費電力が０（ゼロ）より大きい場合に、電力分析部１３は、その電力を「無駄な電力」とみなし、計測値ＤＢ７０の該当する無駄マークフィールドＴ７０４にマークを記録する。
【００８１】
本実施の形態では、機器制御部１４は、判定条件が伝達されると、無駄解釈部１２によって特定された計測装置から収集した電力情報及び環境情報の一方又は両方が、判定条件を満たすかどうかを判定する。そして、機器制御部１４は、判定条件を満たす場合に、制御装置３に対して、電気機器２の消費電力が低下するように指示を行う。
【００８２】
具体的には、機器制御部１４は、伝達された判定条件に基づいて、計測値ＤＢ７０に新たに記録されたレコードを検査し、判定条件に一致するレコードを特定する。そして、機器制御部１４は、判定条件に一致したレコードが存在している場合は、その時の電気機器２の消費電力を確認する。
【００８３】
そして、判定条件が図６に示した無駄条件から設定されているとすると、確認の結果、消費電力が０（ゼロ）より大きい場合に、機器制御部１４は、電気機器２に関連する制御装置３を制御し、電気機器２の消費電力を削減する。
【００８４】
表示部１５は、電力分析部１３による判定の結果、情報収集部１１が収集した電力情報、及び情報収集部１１が収集した環境情報のうち、少なくとも一つを、外部の表示装置７の画面に表示させる。更に、表示部１５は、電力情報及び環境情報を、場所毎または組織毎にまとめて表示することもできる。
【００８５】
また、表示部１５は、利用者からの指示があれば、計測値ＤＢ７０のレコードを読込み、電力情報が記録されたレコードのうち、上述のマークが記録されているレコードを特定し、特定したレコードの計測値を「無駄な消費電力」と判断する。更に、表示部１５は、特定したレコードに記録されている電力情報を画面に表示する際に、電力情報によって特定される消費電力が無駄である旨を表示する。
【００８６】
情報登録部１００は、利用者、特に、電力管理システム１の管理者の指示に応じて、データベース６を構成する各種データベースに、システム情報及び無駄条件を入力し、これらを登録させる。但し、本実施の形態では、情報登録部１００によるシステム情報及び無駄条件の登録には、認証部１０１によって認証が適正に行われることが条件とされている。認証部１０１は、外部からの認証情報の入力を受け付け、認証情報が適正かどうかを判定する。判定の結果、適正である場合は、認証部１０１は、電力管理装置１０へのログインを行い、情報登録部１００による情報の登録を許可する。このような態様とすることにより、データベース６の内容が改竄される事態の発生が抑制される。
【００８７】
［システムの動作］
次に、本形態における電力管理システム１及び電力管理装置１０の動作について図８を用いて説明する。図８は、本発明の実施の形態１における電力管理装置の動作を示す流れ図である。また、以下の説明においては、適宜図１〜図７を参酌する。更に、本実施の形態では、電力管理装置１０を動作させることによって、本実施の形態における電力管理方法が実施される。よって、本実施の形態における電力管理方法の説明は、以下の電力管理装置１０の動作説明に代える。
【００８８】
［ステップＡ１］
最初に、ステップＡ１が実行される前に、図８には示されていないが、認証部１０１による認証処理、情報登録部１００による、データベース６にシステム情報を登録させる処理が実行される。その後、図８に示すように、情報収集部１１が、周辺装置情報ＤＢ４０に登録されている全ての装置から電力情報及び環境情報を収集し、収集した情報から得られる計測値を計測値ＤＢ７０に格納させる（ステップＡ１）。
【００８９】
ステップＡ１において、電力計測装置４、及び環境計測装置５が、自律的に情報収集部１１に情報を送信する場合は、情報収集部１１は自律的に送信されてきた情報を収集する。一方、電力計測装置４、及び計測装置５が、自律的に情報を送信しない場合は、情報収集部１１は、周辺装置情報ＤＢ４０の命令フィールドＴ４０５に記録されている命令情報の中から「情報の収集」の際に使用する命令を抽出し、その命令を実行する。
【００９０】
また、情報収集部１１は、電力計測装置４及び環境計測装置５のうち少なくとも一方が情報を収集すると、計測値ＤＢ７０に新たなレコードを作成し、作成したレコードに、収集した情報から得られる計測値等を記録する。
【００９１】
具体的には、情報収集部１１は、先ず、図７に示すように、日時フィールドＴ７０１に電力計測装置４または環境計測装置５が計測を行った時間（時刻）を格納する。なお、電力計測装置４または環境計測装置５から取得された情報に、計測が行われた時間（時刻）の情報が含まれていない場合は、情報収集部１１は、日時フィールドＴ７０１に、代わりに、情報を収集したときの時間（時刻）を格納する。続いて、情報収集部１１は、図７に示すように、計測装置識別子フィールドＴ７０２に、計測を行った電力計測装置４または環境計測装置５の識別子を格納する。
【００９２】
また、本実施の形態では、電力計測装置４または環境計測装置５が自律的に計測値を送信してくる場合、その情報の中には計測装置を識別するための識別子またはアドレスが含まれていることとする。計測装置を識別する情報としてアドレスが含まれている場合、情報収集部１１は必要に応じて、周辺装置情報ＤＢ４０から、このアドレスに対応する計測装置の識別子を検索し、得られた識別子を計測装置識別子フィールドＴ７０２に格納する。そして、情報収集部１１は、計測値フィールドＴ７０３に計測値を格納する。ステップＡ１の処理が完了すると、ステップＡ２が実行される。
【００９３】
［ステップＡ２］
次に、無駄条件解釈部１２は、無駄条件ＤＢ６０設定されている電力管理装置１０の動作モードが、「削減モード」に設定されているかどうかを判定する（ステップＡ２）。ステップＡ２の判定の結果、電力管理装置１０の動作モードが「分析モード」である場合は、ステップＡ３が実行される。一方、ステップＡ２の判定の結果、電力管理装置１０の動作モードが「削減モード」である場合は、ステップＡ４が実行される。
【００９４】
［ステップＡ３］
ステップＡ３では、無駄条件解釈部１２と電力分析部１３とによって、計測値ＤＢ７０に格納されている計測値を対象として、電気機器２における消費電力が無駄であるかどうかの分析が行われる。なお、ステップＡ３について、後に図９を用いてさらに詳細に説明する。
【００９５】
［ステップＡ４］
ステップＡ４では、無駄条件解釈部１２と機器制御部１４とが、制御装置３を制御して、電気機器２における電力消費の削減が実行される。なお、ステップＡ４については、後に、図１０を用いてさらに詳細に説明する。
【００９６】
ステップＡ３またはステップＡ４の実行後、電力管理装置１における処理は一旦終了するが、その後、再度ステップＡ１が実行される。つまり、ステップＡ１〜Ａ４は、電力管理が必要な間は、繰り返し実行される。
【００９７】
ここで、図８に示したステップＡ３の詳細について図９を用いて説明する。図９は、図８に示したステップＡ３を具体的に示す流れ図である。
【００９８】
［ステップＡ３１］
最初に、図９に示すように、無駄条件解釈部１２が、無駄条件ＤＢ６０に登録されているレコードの無駄条件フィールドＴ６０４（図６参照）を解釈し、着目すべき電気機器及び計測装置とその時の計測値とから構成される判定条件を設定する（ステップＡ３１）。更に、無駄条件解釈部１２は、判定条件を電力分析部１３に伝達する。
【００９９】
具体的には、先ず、無駄条件解釈部１２は、無駄条件ＤＢ６０の無駄条件フィールドＴ６０４に格納されている情報、即ち、無駄条件を抽出する。なお、抽出される無駄条件は、無駄な電力を消費していると判断できる場合の計測装置の計測値、判定条件（計測値を基準として、等しい、大きい、または小さい等を示す比較演算子）等を含む。
【０１００】
続いて、無駄条件解釈部１２は、無駄条件ＤＢ６０の所属種別フィールドＴ６０２、及び所属識別子フィールドＴ６０３に格納されている情報に基づき、電気機器情報などのシステム情報を参照しながら、対象となる電気機器２、電力計測装置３、及び環境計測装置４を特定する。
【０１０１】
その後、無駄条件解釈部１２は、抽出した無駄条件と、特定した電気機器２、電力計測装置３、及び環境計測装置４を示す情報とを、判定条件として、電力分析部１３に伝達する。
【０１０２】
［ステップＡ３２］
次に、電力分析部１３は、伝達された判定条件に基づいて、計測値ＤＢ７０に新たに記録されたレコード（図７参照）を検査し、判定条件を満たすレコードが存在しているかどうかを判定する。電力分析部１３は、判定条件を満たすレコードが存在している場合は、計測値ＤＢ７０の対応する無駄マークフィールドＴ７０４をマークする（ステップＡ３２）。
【０１０３】
具体的には、ステップＡ３２では、電力分析部１３は、情報収集部１１が収集し、計測値ＤＢ７０に新たに追加されたレコードを対象として、無駄条件解釈部１２から伝達された、対象となる電気機器２、電力計測装置３、及び環境計測装置４、計測装置の計測値、及び無駄条件（即ち、判定条件）が当てはまるレコードを検索する。
【０１０４】
続いて、電力分析部１３は、電気機器情報に基づいて、計測値ＤＢ７０に記録されている、電力計測装置４から送信された電力情報と環境計測装置５から送信された環境情報とを結び付ける。そして、電力分析部１３は、計測値ＤＢ７０において、結び付けられた電力情報及び環境情報それぞれのレコードが、検索されたレコードであるかどうかを確認する。
【０１０５】
その結果、例えば、環境情報のレコードが、検索されたレコードに一致している場合は、電力分析部１３は、この環境情報に対応する電力情報で特定される消費電力は、無駄な電力であると判断する。また、電力情報のレコードが、検索されたレコードに一致している場合は、電力分析部１３は、この電力情報で特定される消費電力は、無駄な電力であると判断する。
【０１０６】
続いて、電力分析部１３は、計測値ＤＢ７０の該当する無駄マークフィールドＴ７０４（図７参照）に無駄電力である事を示す値を格納する。電力分析部１３により、追加された全てのレコードについて確認が終了すると、ステップＡ３３が実行される。
【０１０７】
［ステップＡ３３］
次に、表示部１５は、利用者、例えば、電力管理システム１の管理者からの要求に応じて、読み込んだ計測値を表示装置７の画面に表示する（ステップＡ３３）。また、表示部１５は、その際、計測値ＤＢ７０の無駄マークフィールドＴ７０４がマークされた計測値を特定し、利用者に、無駄な電力が発生している場合も示す。ステップＡ３３により、利用者に向けて、計測値が表示される。
【０１０８】
具体的には、ステップＡ３３では、利用者は、電力管理装置１０に接続された入力機器を用いて、消費電力を確認する単位（「組織」または「場所」）を特定する種別と、「組織」または「場所」の識別子とを入力する。
【０１０９】
次に、表示部１５は、入力された種別及び識別子を用いて、計測値ＤＢ７０における該当するレコードを検索する。このとき、計測値ＤＢ７０には、組織または場所を示す情報は格納されていないので、表示部１５は、計測装置識別子フィールドＴ７０２（図７）に格納されている計測装置識別子を用いて、電気機器ＤＢ５０の電力計測フィールドＴ５０７（図５）を対象として検索を行う。そして、表示部１５は、電力計測フィールドＴ５０７において、計測装置識別子と同じ識別子が格納されているレコードを特定する。
【０１１０】
この場合、表示部１５は、そのレコードの利用者フィールドＴ５０３、および利用場所フィールドＴ５０５のいずれかに格納されている識別子（図５参照）が、利用者によって指定された組織の識別子または場所の識別子と一致するかどうかを確認する。この確認により、利用者に指定された組織または場所で消費された電力の計測値が特定される。
【０１１１】
続いて、表示部１５は、検索によって特定された計測値を合算し、得られた値を表示装置の表示画面に表示させる。また、表示部１５は、入力された種別、及び識別子という条件に加えて、「計測値ＤＢ７０の無駄マークフィールドＴ７０４にマークがついているレコードという条件」が入力されている場合は、この追加された条件も加えて検索を行う。そして、表示部１５は、この場合も、合算値を算出し、これを表示装置の表示画面に表示させることができる。この場合、利用者に対しては、指定した組織または場所についての無駄な電力の値が示されることとなる。
【０１１２】
以上のステップＡ３１〜Ａ３３が実行されると、図８に示したステップＡ３における動作は終了する。
【０１１３】
ここで、図８に示したステップＡ４の詳細について図１０を用いて説明する。図１０は、図８に示したステップＡ４を具体的に示す流れ図である。
【０１１４】
［ステップＡ４１］
最初に、図１０に示すように、無駄条件解釈部１２が、無駄条件ＤＢ６０に登録されているレコードの無駄条件フィールドＴ６０４（図６参照）を解釈し、着目すべき電気機器及び計測装置とその時の計測値とから構成される判定条件を設定する（ステップＡ４１）。更に、無駄条件解釈部１２は、設定した判定条件を、機器制御部１４に伝達する。
【０１１５】
具体的には、先ず、無駄条件解釈部１２は、無駄条件ＤＢ６０の無駄条件フィールドＴ６０４に格納されている情報、即ち、無駄条件を抽出する。なお、抽出される無駄条件は、無駄な電力を消費していると判断できる場合の計測装置の計測値、判定条件（計測値を基準として、等しい、大きい、または小さい等を示す比較演算子）、電力消費の削減のために制御装置が出力する命令等を含む。
【０１１６】
続いて、無駄条件解釈部１２は、無駄条件ＤＢ６０の所属種別フィールドＴ６０２及び所属識別子フィールドＴ６０３に格納されている情報に基づいて、電気機器情報などのシステム情報を参照しながら、対象となる電気機器２、電力計測装置３、及び環境計測装置４を特定する。
【０１１７】
その後、無駄条件解釈部１２は、抽出した無駄条件と、特定した電気機器２、電力計測装置３、及び環境計測装置４を示す情報とを、判定条件として、機器制御部１４に伝達する。
【０１１８】
［ステップＡ４２］
次に、機器制御部１４は、伝達された判定条件に基づいて、計測値ＤＢ７０に新たに記録されたレコード（図７参照）を調査し、判定条件を満たすレコードが存在しているかどうかを判定する。機器制御部１４は、判定条件を満たすレコードが存在している場合は、そのレコードに対応している制御装置３を制御し、そのレコードに対応している電気機器２の消費電力を削減する（ステップＡ４２）。
【０１１９】
具体的には、ステップＡ４２では、機器制御部１４は、情報収集部１１が収集し、計測値ＤＢ７０に新たに追加されたレコードを対象として、無駄条件解釈部１２から伝達された、対象となる電気機器２、電力計測装置３、及び環境計測装置４、計測装置の計測値、及び無駄条件（即ち、判定条件）が当てはまるレコードを検索する。
【０１２０】
続いて、機器制御部１４は、電気機器情報に基づいて、計測値ＤＢ７０に記録されている、電力計測装置４から送信された電力情報と環境計測装置５から送信された環境情報とを結び付ける。そして、機器制御部１４は、計測値ＤＢ７０において、結び付けられた電力情報及び環境情報それぞれのレコードが、検索されたレコードであるかどうかを確認する。
【０１２１】
その結果、一致するレコードが発見された場合、機器制御部１４は、一致するレコードの計測装置識別子フィールドＴ７０２に格納されている計測装置識別子を用いて、電気機器ＤＢ５０を検索する。そして、機器制御部１４は、電気機器ＤＢ５０の電力計測フィールドＴ５０７（図５参照）において、一致するレコードの電力計測装置の識別子と同じ値が格納されているレコードを特定し、特定したレコードの制御装置フィールドＴ５０６から制御対象とする制御装置３の装置識別子を取得する。
【０１２２】
その後、機器制御部１４は、制御装置３の装置識別子に基づいて、周辺装置情報ＤＢ４０を検索し、アドレスフィールドＴ４０４（図４参照）から制御装置３のＩＰアドレスを取得する。更に、機器制御部１４は、命令フィールドＴ４０５から制御装置０３を制御するための命令を取得する。そして、機器制御部１４は、対象となる制御装置３に対する命令を取得すると、制御装置３に、取得した命令を実行させる。
【０１２３】
以上のステップＡ４１及びＡ４２が実行されると、図８に示したステップＡ４における動作は終了する。
【０１２４】
このように、本実施の形態における電力管理システム１を用いれば、建築物内に存在するコンセントそれぞれに接続した多数の電気機器０２の消費電力を、電気機器０２を利用する人毎、又は組織毎に集計できる。また、電力管理システム１を用いれば、無駄な消費電力の分析、更には削減を行うこともできる。
【０１２５】
［プログラム］
本実施の形態におけるプログラムは、コンピュータに、図８に示すステップＡ１〜Ａ４、図９に示すステップＡ３１〜Ａ３３、図１０に示すステップＡ４１〜Ａ４２を実行させるプログラムであれば良い。このプログラムをコンピュータにインストールし、実行することによって、本実施の形態における電力管理装置１０と電力管理方法とを実現することができる。この場合、コンピュータのＣＰＵ（Central Processing Unit）は、情報収集部１１，無駄条件解釈部１２、電力分析部１３、機器制御部１４、表示部１５、情報登録部１００及び認証部１０１として機能し、処理を行なう。また、コンピュータに備えられたハードディスク等の記憶装置が、記憶部１６として機能し、記憶装置の記憶領域に計測値ＤＢが構築される。
【０１２６】
ここで、本実施の形態におけるプログラムを実行することによって、電力管理装置１０を実現するコンピュータについて図２５を用いて説明する。図２５は、本発明の実施の形態における電力管理装置１０を実現するコンピュータの一例を示すブロック図である。
【０１２７】
図２５に示すように、コンピュータ１２０は、ＣＰＵ１２１と、メインメモリ１２２と、記憶装置１２３と、入力インターフェイス１２４と、表示コントローラ１２５と、データリーダ・ライタ１２６と、通信インターフェイス１２７とを備える。これらの各部は、バス１３１を介して、互いにデータ通信可能に接続される。
【０１２８】
ＣＰＵ１２１は、記憶装置１２３に格納された、本実施の形態におけるプログラム（コード）をメインメモリ１２２に展開し、これらを所定順序で実行することにより、各種の演算を実施する。メインメモリ１２２は、典型的には、ＤＲＡＭ（Dynamic Random Access Memory）等の揮発性の記憶装置である。また、本実施の形態におけるプログラムは、コンピュータ読み取り可能な記録媒体１３０に格納された状態で提供される。なお、本実施の形態におけるプログラムは、通信インターフェイス１２７を介して接続されたインターネット上で流通するものであっても良い。
【０１２９】
記憶装置１２３の具体例としては、ハードディスクの他、フラッシュメモリ等の半導体記憶装置が挙げられる。入力インターフェイス１２４は、ＣＰＵ１２１と、キーボード及びマウスといった入力機器１２８との間のデータ伝送を仲介する。表示コントローラ１２５は、ディスプレイ装置１２９と接続され、ディスプレイ装置１２９での表示を制御する。データリーダ／ライタ１２６は、ＣＰＵ１２１と記録媒体１３０との間のデータ伝送を仲介し、記録媒体１３０からのプログラムの読み出し、及びコンピュータ１２０における処理結果の記録媒体１３０への書き込みを実行する。通信インターフェイス１２７は、ＣＰＵ１２１と、他のコンピュータとの間のデータ伝送を仲介する。
【０１３０】
記録媒体１３０の具体例としては、ＣＦ（Compact Flash）及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【実施例】
【０１３１】
以下に、実施の形態における電力管理システム１及び電力管理装置１０の実施例について図１１〜図２４を用いて説明する。【０１３２】
［システムの構成］
最初に、本実施例における電力管理システム１及び電力管理装置１０の構成を図１１及び図１２を用いて説明する。図１１は、本発明の実施例における電力管理システム全体の概略構成を示す構成図である。図１２は、本発明の実施例における電力管理システムの構成を示すブロック図である。【０１３３】
図１１に示すように、本実施例においては、Ａ社本社ビルを事業拠点とするＡ社が、電力管理システム１を導入しているとする。また、Ａ社においては、電力管理システム１の管理者が１名任命されている。電力管理装置１０は、無線ＬＡＮ接続によって、電力リレー１１３、電力センサ１１４、人感センサ１１５と接続されている。このうち、電力リレー１１３は、図１に示した制御装置３として機能する。また、電力センサ１１４は、図１に示した電力計測装置４として機能し、人感センサ１１５は、図１に示した環境計測装置５として機能する。更に、本実施例において、電気機器２として、パーソナルコンピュータ（以下「ＰＣ」とする）１１２が用いられている。【０１３４】
本実施例では、電力リレー１１３のＩＰアドレスには［１９２．１６８．０．１］が、電力センサ１１４のＩＰアドレスには［１９２．１６８．１．２］が、人感センサ１１５のＩＰアドレスには「１９２．１６８．０．３」が、それぞれ割り当てられている。また、電力リレー１１３は、コンセント１１１に電力線を介して接続されており、ＰＣ１１２に電力を供給する際の経路を構成している。電力センサ１１４は、ＰＣ１１２の消費電力の計測が可能となるように接続されている。【０１３５】
また、電力センサ１１４は、本実施例では、計測値として、小数点一桁までの有効数字を有し、且つ、単位を「ワット（Ｗ）」とする、電力値を出力することができる。更に、電力センサ１１４は、計測値である電力値を、電力管理装置１０に送信する。【０１３６】
人感センサ１１５は、ＰＣ１１２の付近に設置され、ＰＣ１１２の前に利用者がいる場合は「人がいる」ということを検知する。人感センサ１１５は、電力管理装置１０に対して、「人がいる」と検知した場合、計測値として「１」を送信し、「人がいない」と検知した場合は「０」を送信する。電力センサ１１４及び人感センサ１１５は、計測した時刻と、計測値と、自身のＩＰアドレスとを１秒間隔で自律的に電力管理装置１０に送信することができる。【０１３７】
また、本実施例では、ＰＣ１１２、電力リレー１１３、電力センサ１１４、人感センサ１１５は、「Ａ社本社ビル」という場所に設置されている。そして、ＰＣ１１２、電力リレー１１３、電力センサ１１４、人感センサ１１５は、「Ａ社」という組織が所有している。また、ＰＣ１１２の利用者は、「Ａ社」の「Ｘ氏」である。「Ａ社」は「Ａ社本社ビル」に存在する組織である。【０１３８】
また、本実施例において、電力管理装置１０は、図１に示した実施の形態における電力管理装置１０と同様の構成を備えている。ここで、図１２を用いて具体的に説明すると、本実施例では、電力管理装置１０の情報登録部１００は、更に、利用主体登録部１０２と、場所登録部１０３と、周辺装置登録部１０４と、電気機器登録部１０５と、無駄条件登録部１０６とを備えている。【０１３９】
利用主体登録部１０２は、電力管理システム１の利用主体情報、即ち、利用者の情報、及び利用者が所属する組織の情報を、管理者からの指示に従い、利用主体情報ＤＢ２０に登録する。場所登録部１０３は、建物の対象となるフロアの位置、対象となるフロアにおけるコンセントの位置、対象となるフロアに在籍する組織、などの情報を、場所情報ＤＢ３０に登録する。【０１４０】
周辺装置登録部１０４は、制御装置３、電力計測装置４、環境計測装置５といった周辺装置に関する情報を、管理者からの指示に従い、周辺装置情報ＤＢ４０に登録する。電気機器登録部１０５は、消費電力の分析及び削減の対象となる電気機器２に関する情報、例えば、利用者、対応する制御装置３、対応する計測装置などを、管理者からの指示に従い、電気機器ＤＢ５０に登録する。【０１４１】
無駄条件登録部１０６は、無駄条件、例えば、電気機器２の消費電力と当該電気機器２に関連する電力計測装置４の計測値とで規定された無駄条件、環境計測装置５の計測値で規定された無駄条件などを、管理者からの指示に従い、無駄条件ＤＢ６０に登録する。【０１４２】
［システムの動作］
続いて、実施例における電力管理システム１及び電力管理装置１０の動作について図１３を用いて説明する。図１３は、本発明の実施例における電力管理装置の動作を示す流れ図である。【０１４３】
［ステップＳ１］
先ず、図１３に示すように、電力管理システム１の管理者からの指示に従い、利用主体登録部１０２と、場所登録部１０３と、周辺装置登録部１０４と、無駄条件登録部１０６とが、システムの動作に必要な情報（システム情報）をデータベース６に登録する（ステップＳ１）。ステップＳ１による登録が完了すると、ステップＳ２が実行される。なお、ステップＳ１については、図１４を用いてさらに詳細に説明する。【０１４４】
［ステップＳ２］
次に、管理対象となる電気機器２であるＰＣ１１２の利用者、即ち、Ｘ氏の指示があると、電気機器登録部１０５が、ＰＣ１１２を電気機器ＤＢ７０に登録する。登録が完了すると、ステップＳ３が実行される。なお、ステップＳ２については、図１５を用いてさらに詳細に説明する。【０１４５】
［ステップＳ３］
次に、情報収集部１１が、周辺装置情報ＤＢ４０に登録されている全ての周辺装置、即ち、電力センサ１１４及び人感センサ１１５から情報を収集し、収集した情報から得られる計測値を計測値ＤＢ７０に格納する（ステップＳ３）。【０１４６】
具体的には、情報収集部１１は、電力センサ１１４から送信されてきた電力情報を計測値ＤＢ７０に格納する。このとき、情報収集部１１は、まず、日時フィールドＴ７０１（図７参照）に、電力センサ１４が計測を行った時間、例えば、［２０１０／６／１  １１：５９：５９］を格納する。【０１４７】
次に、情報収集部１１は、計測装置識別子フィールドＴ７０２（図７参照）に、電力センサ１４の計測装置識別子を格納する。電力センサ１４は、自身のＩＰアドレス［１９２．１６８．０．２］を情報収集部１１に送信しているので、情報収集部１１は、周辺装置情報ＤＢ４０から電力センサ１４のＩＰアドレスに該当する計測装置の識別子［００００２］を検索し、計測装置識別子フィールドＴ７０２に識別子を格納する。【０１４８】
その後、情報収集部１１は、計測値フィールドＴ７０３に、電力センサ１４が計測した計測値［２３．０］を格納する。【０１４９】
同様に、情報収集部１１は、人感センサ１５から送信されてきた環境情報を計測値ＤＢ７０に格納する。このとき、情報収集部１１は、まず、日時フィールドＴ７０１に人感センサ１５が計測を行った時間［２０１０／６／１  １３：００：００］（図７において図示せず）を格納する。【０１５０】
次に、情報収集部１１は、計測装置識別子フィールドＴ７０２に人感センサ１５の計測装置識別子を格納する。人感センサ１５は、自身のＩＰアドレス［１９２．１６８．０．３］を情報収集部１１に送信しているので、情報収集部１１は、周辺装置情報ＤＢ４０から人感センサ１５のＩＰアドレスに該当する計測装置の識別子［００００３］を抽出し、抽出した識別子を、計測装置識別子フィールドＴ７０２に格納する。【０１５１】
そして最後に、情報収集部１１は、計測値フィールドＴ７０３に、人感センサ１５が計測した計測値［１］を格納する。【０１５２】
また、上述した処理により、計測値ＤＢ７０には、既に、図７に示すように［２０１０／６／１  １１：５９：５９］を起点として、電力センサ１４及び人感センサ１５から収集された計測値が格納されている。ステップＳ３での処理が完了すると、ステップＳ４が実行される。【０１５３】
［ステップＳ４］
次に、無駄条件解釈部１２は、無駄条件ＤＢ６０設定されている電力管理装置１０の動作モードが、「削減モード」に設定されているかどうかを判定する（ステップＳ４）。本実施例では、電力管理装置１０の動作モードは、「分析モード」に設定されているとする。よって、ステップＳ５が実行される。なお、ステップＳ４は、図８に示したステップＡ２と同様のステップである。【０１５４】
［ステップＳ５］
次に、無駄条件解釈部１２と電力分析部１３とによって、計測値ＤＢ７０に格納されている計測値を対象として、ＰＣ１１２における消費電力が無駄であるかどうかの分析が行われる。なお、ステップＳ５については、後述する。また、ステップＳ５は、図８に示したステップＡ３と同様のステップである。【０１５５】
［ステップＳ６］
電力管理装置１０の動作モードが「削減モード」に設定されている場合は、無駄条件解釈部１２と機器制御部１４とが、制御装置３を制御して、ＰＣ１１２における電力消費の削減が実行される。なお、ステップＳ６は、図８に示したステップＡ４と同様のステップである。【０１５６】
ステップＳ５またはステップＳ６の実行後、電力管理装置１における処理は一旦終了するが、その後は、再度ステップＳ３が実行される。本実施例では、ステップＳ３〜Ｓ６が、電力管理が必要な間、繰り返し実行される。【０１５７】
次に、図１４を用いて、図１３に示したステップＳ１を更に具体的に説明する。図１４は、図１３に示したステップＳ１を具体的に示す流れ図である。また、以下の説明では、適宜、図１６〜図２２を参照する。【０１５８】
［ステップＳ１０１］
図１４に示すように、まず、電力管理システム１の管理者によって認証情報が入力されると、認証部１０１は認証情報を受け付け、認証情報が適正かどうか（管理者がシステムの利用権限を有しているかどうか）を判断する（ステップＳ１０１）。そして、認証部１０１は、適正である場合はシステムへのログインを認める。【０１５９】
具体的には、管理者は、認証部１０１が表示装置７の画面に表示させるログインインターフェース１２１（図１６参照）を用いて、各利用者に割り当てられている識別子（例えば、［００００１］など）を、識別子入力エリア１２２に入力する。その後、管理者は、ログインボタン１２３を押下する。図１６は、本発明の実施例で用いられるログインインターフェースの一例を示す図である。【０１６０】
ログインボタン１２３が押下されると、認証部１０１は、入力された識別子を用いて、利用主体情報ＤＢ２０の識別子フィールドＴ２０１の値を検索する。そして、一致するレコードが発見出来た場合は、認証部１０１は、ログインを許可し、図１７に示すメニューインターフェース１１１を、表示装置７の表示画面に表示させる。図１７は、本発明の実施例で用いられるメニューインターフェースの一例を示す図である。【０１６１】
この後、ステップＳ１０２が実行される。なお、ステップＳ１０１の認証処理に使用された管理者の識別子及び名前は、電力管理システム１の初期情報として、予め、利用主体情報ＤＢ２０に登録されているものとする。【０１６２】
［ステップＳ１０２］
次に、管理者が、組織についての４つの情報を入力すると、利用主体登録部１０２がこれらの入力を受け付け、受け付けた情報を利用主体情報ＤＢ２０に格納する（ステップＳ１０２）。【０１６３】
具体的には、管理者が、メニューインターフェース１１１（図１７参照）中の利用主体登録ボタン２００を押下すると、利用主体登録部１０２は、図１８に示す利用者／組織登録インターフェイス２１０を表示する。【０１６４】
そして、管理者が、組織の識別子を［８００００］に決定し、これを利用者／組織登録インターフェイス２０１の識別子入力エリア２０１に入力すると、利用主体登録部１０２はこれを利用主体情報ＤＢ２０の識別子フィールドＴ２０１に格納する。【０１６５】
次に、管理者が、組織の名前［Ａ社］を利用者／組織登録インターフェイス２１０の名前入力エリア２０２に入力すると、利用主体登録部１０２はこれを利用主体情報ＤＢ２０の名前フィールドＴ２０２に格納する。【０１６６】
次に、管理者が、組織が所属する上位組織の識別子を利用者／組織登録インターフェイス２１０の所属先入力エリア２０３に入力すると、利用主体登録部１０２はこれを利用主体情報ＤＢ２０の所属先フィールドＴ２０３に格納する。但し、この時に管理者が入力する組織［Ａ社］は、上位組織を有していないため、所属先入力エリア２０３には、上位組織が存在しない事を示す値［０００００］が入力される。【０１６７】
次に、管理者が、入力した情報が「利用者」の情報及び「組織」の情報のいずれであるかを表す種別情報を、利用者／組織登録インターフェイス２１０の種別入力エリア２０４に入力すると、利用主体登録部１０２はこれを利用主体情報ＤＢ２０の種別フィールドＴ２０４に格納する。【０１６８】
全ての入力が完了すると、管理者は、登録ボタン２０６を押下する。これにより、登録が確定され、ステップＳ１０３が実行される。【０１６９】
［ステップＳ１０３］
次に、管理者が、利用者を識別するための識別子、所属している組織、利用者に与えられる権限等を入力すると、利用主体登録部１０２がこれらの入力を受け付け、受け付けた情報を利用主体情報ＤＢ２０に格納する（ステップＳ１０３）。【０１７０】
具体的には、管理者が、メニューインターフェース１１１の中の利用者／組織登録ボタン２００を押下すると、利用主体登録部１０２が、図１８に示す利用者／組織登録ユーザインターフェース２１０を表示する。そして、管理者は、利用者／組織登録ユーザインターフェース２１０を用いて、ＰＣ１１２の利用者、即ち［Ｘ氏］に関する５つの情報を利用者／組織ＤＢ２０に登録する。【０１７１】
まず、管理者が、Ｘ氏の識別子を［００００２］に決定し、これを利用者／組織登録インターフェイス２１０の識別子入力エリア２０１に入力すると、利用主体登録部１０２はこれを利用主体情報ＤＢ２０の識別子フィールドＴ２０１に格納する。【０１７２】
次に、管理者が、ＰＣ１１２の利用者の名前［Ｘ］を、利用者／組織登録インターフェイス２１０の名前入力エリア２０１に入力すると、利用主体登録部１０２はこれを利用主体情報ＤＢ２０の名前フィールドＴ２０２に格納する。【０１７３】
次に、管理者が、ＰＣ１１２の利用者［Ｘ氏］が所属する組織［Ａ社］の識別子［８００００］を、利用者／組織登録インターフェイス２１０の所属先入力エリア２０３に入力すると、利用主体登録部１０２はこれを利用主体情報ＤＢ２０の所属先フィールドＴ２０３に格納する。【０１７４】
次に、管理者が、利用者［Ｘ氏］の種別、すなわち［利用者］であることを、利用者／組織登録インターフェイス２０１の種別入力エリア２０４に入力すると、利用主体登録部１０２は、これを利用主体情報ＤＢ２０の種別フィールドＴ２０４に格納する。【０１７５】
次に、管理者が、利用者［Ｘ氏］が認証時に入力する認証コード［ＴＡＮＡＫＡ］を、利用者／組織登録インターフェイス２１０の認証コード入力エリア２０５に入力すると、利用主体登録部１０２はこれを利用主体情報ＤＢ２０の認証コードフィールドＴ２０５に格納する。【０１７６】
全ての入力が完了すると、管理者は、登録ボタン２０６を押下する。これにより、登録が確定され、ステップＳ１０４が実行される。【０１７７】
［ステップＳ１０４］
次に、管理者が、建築物の名称、所在地、フロアの階数、部屋番号、コンセント番号など、電気機器及び電力の共有源の存在場所を特定できる場所情報を入力すると、場所登録部１０３がこれらの入力を受け付け、受け付けた情報を場所情報ＤＢ３０に格納する（ステップＳ１０４）。【０１７８】
具体的には、管理者が、メニューインターフェース１１１（図１７参照）の中の場所登録ボタン３００を押下すると、場所登録部１０３が、図１９に示す場所登録インターフェイス３１０を表示する。そして、管理者は、場所登録インターフェイス３１０を用いて、ＰＣ１１２を利用する場所［Ａ社本社ビル］に関する３つの情報を場所情報ＤＢ３０に登録する。【０１７９】
まず、管理者が、場所の識別子［００００１］を決定し、決定した識別子を、場所登録インターフェイス３１０の識別子入力エリア３０１に入力すると、場所登録部１０３はこれを場所情報ＤＢ３０の場所識別子フィールドＴ３０１に格納する。【０１８０】
次に、管理者が、場所の名前［Ａ社本社ビル］を場所登録インターフェイス３１０の名前入力エリア３０２に入力すると、場所登録部１０３はこれを場所ＤＢ３０の場所名フィールドＴ３０２に格納する。【０１８１】
次に、管理者が、場所が存在するエリアの場所識別子を場所登録インターフェイス３１０の存在場所入力エリア３０３に入力すると、場所登録部１０３はこれを場所情報ＤＢ３０の存在場所フィールドＴ３０３に格納する。この時に、上位の存在場所がない場合は、管理者は、上位の存在場所が存在していないことを示す値［０００００］を入力する。【０１８２】
全ての入力が完了すると、管理者は、登録ボタン３０４を押下する。これにより、登録が確定され、ステップＳ１０５が実行される。【０１８３】
［ステップＳ１０５］
次に、管理者が、ＰＣ１１２の電力供給を制御する電力リレー１１３についての情報を入力すると、周辺装置登録部１０４が入力を受け付け、受け付けた情報を周辺装置情報ＤＢ４０に格納する（ステップＳ１０５）。【０１８４】
具体的には、管理者が、メニューインターフェース１１１（図１７参照）中の周辺装置登録ボタン４００を押下すると、周辺装置登録部１０４が、図２０に示す周辺装置登録インターフェイス４１０を表示する。そして、管理者は、周辺装置登録インターフェイス４１０を用いて、計測装置または制御装置についての５つの情報を周辺装置ＤＢ４０に登録する。【０１８５】
まず、管理者が、電力リレー１３の識別子を［００００１］に設定し、これを、周辺装置登録インターフェイス４１０の識別子入力エリア４０１に入力すると、周辺装置登録部１０４はこれを周辺装置情報ＤＢ４０の装置識別子フィールドＴ４０１に格納する。【０１８６】
次に、管理者が、電力リレー１３の装置種別として［制御装置］を、周辺装置登録インターフェイス４１０の種別入力エリア４０２に入力すると、周辺装置登録部１０４はこれを周辺装置情報ＤＢ４０の装置種別フィールドＴ４０２に格納する。【０１８７】
次に、管理者が、電力リレー１３の名前［Ｘ氏ＰＣのタップ(制御側)］を、周辺装置登録インターフェイス４１０の名前入力エリア４０３に入力すると、周辺装置登録部１０４はこれを周辺装置情報ＤＢ４０の装置名フィールドＴ４０３に格納する。【０１８８】
次に、管理者が、電力リレー１３と通信する際に使用するアドレス［１９２．１６８．０．１］を、周辺装置登録インターフェイス４１０のアドレス入力エリア４０４に入力すると、周辺装置登録部１０４はこれを周辺装置情報ＤＢ４０のアドレスフィールドＴ４０４に格納する。【０１８９】
次に、管理者が、電力リレー１３を制御する際に使用する命令として「サスペンド: tapcmd -on $addr 」を、周辺装置登録インターフェイス４１０の命令入力エリア４０５に入力すると、周辺装置登録部１０４はこれを周辺装置情報ＤＢ４０の命令フィールドＴ４０４に格納する。【０１９０】
ここまでの入力が完了すると、管理者は、登録ボタン４０６を押下する。これにより、電力リレー１３に関する情報の登録が確定される。そして、ステップＳ０１０５は、電力センサ１１４、人感センサ１１５についても同様に実行され、結果、図４に示すように、周辺装置情報ＤＢ４０に各装置の情報が登録される。全ての登録が完了すると、ステップＳ１０６が実行される。【０１９１】
［ステップＳ１０６］
次に、管理者が、予め作成された無駄条件を入力すると、無駄条件登録部１０６が入力を受け付け、受け付けた情報を無駄条件ＤＢ６０に格納する（ステップＳ１０６）。【０１９２】
具体的には、管理者は、メニューインターフェース１１１（図１７参照）中の無駄条件登録ボタン６００を押下すると、無駄条件登録部１０６は、図２１に示す無駄条件登録インターフェイス６１０を表示する。管理者は、無駄条件登録インターフェイス６１０を用いて、無駄条件についての４つの情報を登録する。【０１９３】
まず、管理者が、電力消費の無駄条件の識別子［００００１］を決定し、これを、無駄条件登録インターフェイス６１０の識別子入力エリア６０１に入力すると、無駄条件登録部１０６はこれを無駄条件ＤＢ６０の識別子フィールドＴ６０１に格納する。【０１９４】
次に、管理者が、無駄条件を登録する対象の所属種別として［組織］を、無駄条件登録インターフェイス６１０の所属種別入力エリア６０２に入力すると、無駄条件登録部１０６はこれを無駄条件ＤＢ６０の所属種別フィールドＴ６０２に格納する。【０１９５】
次に、管理者が、無駄条件を登録する対象の組織の所属識別子として［８００００］を、無駄条件登録インターフェイス６１０の所属識別子入力エリア６０３に入力すると、無駄条件登録部１０６はこれを無駄条件ＤＢ６０の所属識別子フィールドＴ６０３に格納する。【０１９６】
次に、管理者が、電力消費における無駄条件として、［人感センサ==０の時全てのＰＣをサスペンド］を、無駄条件登録インターフェイス６１０の無駄条件入力エリア６０４に入力すると、無駄条件登録部１０６はこれを無駄条件ＤＢ６０の無駄条件フィールドＴ６０４に格納する。【０１９７】
全ての登録が完了すると、管理者は、登録ボタン６０５を押下する。これにより、登録が確定し、ステップＳ１０７が実行される。【０１９８】
［ステップＳ１０７］
次に、電力管理者が、電力管理装置１０の動作モードを入力すると、無駄条件登録部１０６が入力を受け付け、受け付けた情報を無駄条件ＤＢ６０に格納する（ステップＳ１０７）。【０１９９】
具体的には、管理者が、メニューインターフェース１１１（図１７参照）中の動作モード設定ボタン７００を押下すると、無駄条件登録部１０６が、図２２に示す動作モード設定インターフェイス７１０を表示する。【０２００】
次に、管理者が、動作モード入力エリア７０１にシステム全体の動作モードとして［分析モード］を設定すると、無駄条件登録部１０６は、設定されたモードに対応する値を無駄条件ＤＢ６０に格納する。その後、管理者が、登録ボタン７０２を押下すると、登録が確定される。【０２０１】
以上に述べたステップＳ１０１〜Ｓ１０７が実行されると、ステップＳ１における動作が終了する。この後、図１３に示すステップＳ２〜Ｓ６が実行される。【０２０２】
次に、図１５を用いて、図１３に示したステップＳ２を更に具体的に説明する。図１５は、図１３に示したステップＳ２を具体的に示す流れ図である。また、以下の説明では、適宜、図２３を参照する。【０２０３】
［ステップＳ２０１］
図１５に示すように、まず、利用者であるＸによって認証情報が入力されると、認証部１０１は認証情報を受け付け、認証情報が適正かどうか（Ｘ氏がシステムの利用権限を有しているかどうか）を判断する（ステップＳ２０１）。そして、認証部１０１は、適正である場合はシステムへのログインを認める。【０２０４】
具体的には、利用者Ｘが、ログインインターフェース１２１（図１６参照）を用いて、各利用者に割り当てられている識別子（例えば［００００２］）を、識別子入力エリア１２２に入力し、更にログインボタン１２３を押下する。【０２０５】
ログインボタン１２３が押下されると、認証部１０１は、入力された識別子を用いて、利用主体情報ＤＢ２０の識別子フィールドＴ２０１の値を検索する。そして、一致するレコードが発見出来た場合は、認証部１０１は、ログインを許可し、図１７に示すメニューインターフェース１１１を、表示装置７の表示画面に表示させる。この後、ステップＳ２０２が実行される。【０２０６】
［ステップＳ２０２］
次に、利用者Ｘが、利用するＰＣ１１２についての情報を入力すると、電気機器登録部１０５がこの入力を受け付け、受け付けた情報を、電気機器情報ＤＢ５０に格納する（ステップＳ２０２）。【０２０７】
具体的には、利用者Ｘが、メニューインターフェース１１１（図１７参照）中の電気機器登録ボタン５００を押下すると、電気機器登録部１０５は、図２３に示す電気機器登録インターフェイス５１０を表示する。そして、利用者Ｘは、電気機器登録インターフェイス５１０を用いて、電気機器２に関する８つの情報を登録する。【０２０８】
まず、利用者Ｘが、ＰＣ１１２の識別子を［００００１］に決定し、決定した識別子を、電気機器登録インターフェイス５１０の機器識別子入力エリア５０１に入力すると、電気機器登録部１０５は、これを電気機器情報ＤＢ５０の機器識別子フィールドＴ５０１に格納する。【０２０９】
次に、利用者Ｘが、ＰＣ１１２の種別として［ＰＣ］を、電気機器登録インターフェイス５１０の機器種別入力エリア５０２に入力すると、電気機器登録部１０５はこれを電気機器情報ＤＢ５０の機器種別フィールドＴ５０２に格納する。【０２１０】
次に、利用者Ｘが、ＰＣ１１２の機器名として［Ｘ氏ＰＣ］を、電気機器登録インターフェイス５１０の機器名入力エリア５０３に入力すると、電気機器登録部１０５はこれを電気機器情報ＤＢ５０の機器名フィールドＴ５０３に格納する。【０２１１】
次に、利用者Ｘが、ＰＣ１１２の利用者、つまり自分自身に割り当てられている識別子である［００００２］を、電気機器登録インターフェイス５１０の利用者入力エリア５０４に入力すると、電気機器登録部１０５はこれを電気機器情報ＤＢ５０の利用者フィールドＴ５０４に格納する。【０２１２】
次に、利用者Ｘが、ＰＣ１１２の利用場所の識別子［００００１］を、電気機器登録インターフェイス５１０の利用場所入力エリア５０５に入力すると、電気機器登録部１０５はこれを電気機器情報ＤＢ５０の利用場所フィールドＴ５０５に格納する。【０２１３】
次に、利用者Ｘが、ＰＣ１１２を制御する電力リレー１１３の識別子［００００１］を、電気機器登録インターフェイス５１０の制御装置入力エリア５０６に入力すると、電気機器登録部１０５はこれを電気機器情報ＤＢ５０の制御装置フィールドＴ５０６に格納する。【０２１４】
次に、利用者Ｘが、ＰＣ１１２の消費電力を計測する電力センサ１１４の識別子［００００２］を、電気機器登録インターフェイス５１０の電力計測入力エリア５０７に入力すると、電気機器登録部１０５はこれを電気機器情報ＤＢ５０の電力計測フィールドＴ５０７に格納する。【０２１５】
次に、利用者Ｘが、ＰＣ１１２の利用者の在不在を計測する人感センサ１５の識別子［００００３］を、電気機器登録インターフェイス５１０の環境計測入力エリア５０８に入力すると、電気機器登録部１０５はこれを電気機器情報ＤＢ５０の環境計測フィールドＴ５０８に格納する。【０２１６】
全ての入力が完了すると、利用者Ｘは、登録ボタン５０９を押下する。これにより、登録が確定される。以上述べたステップＳ２０１及びＳ２０２が実行されると、ステップＳ２における動作が終了する。この後、図１３に示すステップＳ３〜Ｓ６が実行される。【０２１７】
次に、実施の形態１で示した図９を参照しながら、図１３に示したステップＳ５を更に具体的に説明する。また、図１３に示したステップＳ５は、図９に示すステップＡ３１〜Ａ３によって構成されているとする。【０２１８】
［ステップＡ３１］
最初に、図９に示すように、無駄条件解釈部１２が、無駄条件ＤＢ６０に登録されているレコードの無駄条件フィールドＴ６０４（図６参照）を解釈し、着目すべき電気機器及び計測機器とその時の計測値とから構成される判定条件を設定する（ステップＡ３１）。更に、無駄条件解釈部１２は、判定条件を電力分析部１３に伝達する。【０２１９】
具体的には、まず、無駄条件解釈部１２は、無駄条件ＤＢ６０の無駄条件フィールドＴ６０４に格納されている情報、即ち、無駄な電力を消費していると思われる場合の計測装置の計測値、判定条件（計測値を基準として、等しい、大きい、または小さい等を示す比較演算子）等の情報を抽出する。【０２２０】
続いて、無駄条件解釈部１２は、無駄条件ＤＢ６０の所属種別フィールドＴ６０２、及び所属識別子フィールドＴ６０３に格納されている情報に基づいて、電気機器情報などのシステム情報を参照しながら、対象となる電気機器２、電力計測装置３、及び環境計測装置４を確定する。【０２２１】
例えば、無駄条件ＤＢに格納されている情報が、図６に示す情報であるとすると、無駄条件解釈部１２は、無駄条件フィールドＴ６０４の値から、無駄な電力を消費していると思われる場合に着目する計測装置として「人感センサ」に着目する。そして、無駄条件解釈部１２は、その時の「人感センサ」の計測値が「０」となり、判定条件が「＝＝(一致する場合）)となる、という情報を抽出する。また、無駄条件解釈部１２は、制御する対象の電気機器として「全てのＰＣ」という情報を抽出し、更に、その時の制御内容として「サスペンド」という情報も抽出する。【０２２２】
また、無駄条件解釈部１２は、所属種別フィールドＴ６０２及び所属識別子フィールドＴ６０３それぞれの値から、対象組織が「Ａ社」全体となることを特定する。そして、無駄条件解釈部１２は、制御対象の機器は「Ａ社内の全てのＰＣ」であり、その時に参照する計測機器としては、それぞれのＰＣに関連付いている「人感センサ」を用いる、と判断する。【０２２３】
その後、無駄条件解釈部１２は、抽出した無駄条件と、特定した電気機器２、電力計測装置３、及び環境計測装置４を示す情報とを、判定条件として、電力分析部１３に伝達する。【０２２４】
［ステップＡ３２］
次に、電力分析部１３は、伝達された判定条件に基づいて、計測値ＤＢ７０に新たに記録されたレコード（図７参照）を検査し、判定条件を満たすレコードが存在しているかどうかを判定する。電力分析部１３は、判定条件を満たすレコードが存在している場合は、計測値ＤＢ７０の対応する無駄マークフィールドＴ７０４をマークする（ステップＡ３２）。【０２２５】
具体的には、電力分析部１３は、情報収集部１１が収集し、計測値ＤＢ７０に新たに追加されたレコードを対象として、無駄条件解釈部１２から伝達された、対象となる電気機器「ＰＣ」、計測装置「人感センサ」、計測装置の計測値「０」、及び判定条件が、全て当てはまるレコードを検索する。【０２２６】
続いて、電力分析部１３は、電気機器情報に基づいて、計測値ＤＢ７０において、電力センサ１１４から送信された電力情報と人感センサ１１５から送信された環境情報とを結び付ける。そして、電力分析部１３は、計測値ＤＢ７０において、結び付けられた各情報それぞれが記録されたレコード（図７参照）が、検索されたレコードであるかどうかを確認する。【０２２７】
例えば、計測装置識別子「０００３」は、Ｘ氏のＰＣの人感センサを示している（図４参照）。また、計測装置識別子「００００２」は、Ｘ氏ＰＣのタップに対応する電力計測装置を示している（図４参照）。よって、図７の例では、電力分析部１３は、検索によって、計測装置識別子が「０００３」であり、且つ、計測値が「０」であるレコードを特定する。そして、電力分析部１３は、特定したレコードと、これと日時が一致する計測装置識別子が「００００２」であるレコードと、を結び付ける。【０２２８】
その結果、本実施例では、環境情報のレコードが、検索されたレコードに一致するので、電力分析部１３は、この環境情報に対応する電力情報で特定される消費電力は、無駄な電力であると判断する。そして、電力部分析部１３は、計測値ＤＢ７０の該当する無駄マークフィールドＴ７０４に無駄電力である事を示す値”１”を格納する。追加された全てのレコードについて確認が終了すると、ステップＡ３３が実行される。【０２２９】
［ステップＡ３３］
次に、表示部１５は、管理者からの要求に応じて、計測値ＤＢ７０から、電力計測装置４によって取得された電力情報を読み込み、これを表示装置７の画面に表示させる（ステップＡ３３）。その際、表示部１５は、電力分析部１３によって計測値ＤＢ７０の無駄マークフィールドＴ７０４にマークされた計測値を特定し、無駄な電力が発生している場合も管理者に向けて表示する。【０２３０】
具体的には、管理者が、メニューインターフェース１１１（図１７参照）中の消費電力表示ボタン８００を押下すると、表示部１５は、図２４に示す消費電力表示インターフェイス８１０を表示する。そして、管理者は、消費電力を確認したい種別［組織］を所属種別入力エリア８０１に入力し、組織の識別子［８００００］を所属識別子入力エリア８０２に入力し、その後、表示ボタン８０３を押下する。【０２３１】
表示ボタン８０３が押下されると、表示部１５は、入力された種別［組織］、及び識別子［８００００］を用いて、計測値ＤＢ７０から該当するレコードを検索する。更に、表示部１５は、計測値ＤＢ７０の計測装置識別子フィールドＴ７０２に格納されている計測装置識別子をキーにして、電気機器情報ＤＢ５０の電力計測フィールドＴ５０７を検索し、同じ識別子が格納されているレコードを特定する。【０２３２】
さらに、表示部１５は、特定したレコードの利用者フィールドＴ５０３に格納されている利用者が、指定された組織に属するかどうかを確認し、属していた場合は、特定したレコードを検索結果として列挙する。【０２３３】
続いて、表示部１５は、検索結果で得られたレコードの各消費電力値を合計し、その値を消費電力表示インターフェイス８１０の消費電力合計値の表示エリア８０４に表示する。また、表示部１５は、検索結果の中から、計測値ＤＢ７０の無駄マークフィールドＴ７０４にマークがついているレコードという条件を追加して絞り込み検索を実行し、その結果得られた検索結果の各消費電力値を合算する。更に、表示部１５は、得られた値を、消費電力表示インターフェイス８１０の無駄電力合計値の表示エリア８０５に、無駄電力の合計値として表示する。【０２３４】
以上のように、本実施例によれば、組織毎、または場所毎に、消費電力が無駄になっている場合を特定することができ、管理者における電力管理が容易となる。また、本発明は、上記の実施例に限定されるものではなく、その要旨を逸脱しない範囲において種々の変形が可能である。【０２３５】
上述した実施の形態及び実施例の一部又は全部は、以下に記載する（付記１）〜（付記３０）によって表現することができるが、以下の記載に限定されるものではない。【０２３６】
（付記１）
外部から電力供給を受ける電気機器の消費電力を管理する電力管理装置と、前記電気機器の消費電力を特定する電力情報及び前記電気機器の周辺環境を特定する環境情報の一方又は両方を取得する計測装置と、データベースと、を備え、
前記データベースは、
前記電気機器毎に、当該電気機器を利用する利用主体、当該電気機器に電力を供給する場所、及び当該電気機器に対応する前記計測装置を特定する情報を、システム情報として格納し、更に、
予め、前記利用主体毎、又は前記電気機器が電力の供給を受けている場所毎に、前記電力情報及び前記環境情報の一方又は両方に基づいて設定され、且つ、前記電気機器が電力を無駄に消費している場合を規定している、無駄条件を格納し、
前記電力管理装置は、
前記システム情報に基づいて前記無駄条件と関係している電気機器及び計測装置を特定し、更に、前記無駄条件に基づいて、特定した電気機器が電力を無駄にしていると判断できる条件を設定する、無駄条件解釈部と、
前記計測装置が取得した前記電力情報及び前記環境情報の一方又は両方を収集する情報収集部と、
前記無駄解釈部が特定した計測装置から収集された前記電力情報及び前記環境情報の一方又は両方が、前記無駄解釈部によって設定された条件を満たすかどうかを判定し、満たす場合に、電力消費の無駄が発生していると判定する、電力分析部と、
を備えている、ことを特徴とする電力管理システム。【０２３７】
（付記２）
前記利用主体が、利用者または複数の利用者が所属する組織であり、
前記無駄条件が、前記組織毎、又は前記場所毎に、設定されている、付記１に記載の電力管理システム。【０２３８】
（付記３）
当該電力管理システムが、前記計測装置として、前記電気機器の消費電力を特定する電力情報を取得する電力計測装置と、前記電気機器の周辺環境を特定する環境情報を取得する周辺計測装置と、を備えており、
前記情報収集部が、前記電力情報及び前記環境情報を収集し、そして収集の度に、前記電力情報が記録されたレコードと、前記環境情報が記録されたレコードとを作成し、
前記電力分析部が、
前記システム情報に基づいて、前記レコードに記録されている、前記電力情報と前記環境情報とを結び付け、更に、
前記電力情報が前記設定された条件を満たす場合は、前記電力情報が特定する消費電力が無駄であると判断し、前記環境情報が前記設定された条件を満たす場合は、前記環境情報に結び付けられた前記電力情報が特定する消費電力が無駄であると判断し、そして、
消費電力が無駄であると判断された前記電力情報のレコードに、前記消費電力が無駄であると判断されたことを示すマークを記録する、付記１に記載の電力管理システム。【０２３９】
（付記４）
前記電力管理装置が、前記電力分析部による判定の結果、前記情報収集部が収集した前記電力情報、及び前記情報収集部が収集した前記環境情報のうち、少なくとも一つを、外部の表示装置の画面に表示させる、表示部を更に備えている、付記１に記載の電力管理システム。【０２４０】
（付記５）
前記電力管理装置が、前記情報収集部が収集した前記電力情報を、外部の表示装置の画面に表示させる、表示部を更に備え、
前記表示部は、外部からの指示に応じて、前記電力情報が記録されたレコードのうち、前記マークが記録されているレコードを特定し、特定したレコードに記録されている前記電力情報を前記画面に表示する際に、前記電力情報によって特定される消費電力が無駄である旨も表示する、付記３に記載の電力管理システム。【０２４１】
（付記６）
当該電力管理システムが、前記電気機器の動作を制御する制御装置を更に備え、
前記電力管理装置が、前記制御装置に対して、前記電気機器の消費電力が低下するように指示を行う、機器制御部を更に備えている、
付記１に記載の電力管理システム。【０２４２】
（付記７）
前記機器制御部が、前記無駄解釈部によって特定された計測装置から収集した前記電力情報及び前記環境情報の一方又は両方が、前記無駄解釈部によって設定された条件を満たすかどうかを判定し、満たす場合に、前記制御装置に対して、前記電気機器の消費電力が低下するように指示を行う、
付記６に記載の電力管理システム。【０２４３】
（付記８）
外部から電力供給を受ける電気機器の消費電力を特定する電力情報または前記電気機器の周辺環境を特定する環境情報を取得する計測装置を用いて、前記電気機器の消費電力を管理する電力管理装置であって、
無駄条件解釈部と、情報収集部と、電力分析部とを備え、
前記無駄条件解釈部は、
前記電気機器毎に、当該電気機器を利用する利用主体、当該電気機器に電力を供給する場所、及び当該電気機器に対応する前記計測装置を特定する、システム情報に基づいて、
前記利用主体毎、又は前記電気機器が電力の供給を受けている場所毎に、予め、前記電力情報及び前記環境情報の一方又は両方に基づいて設定され、且つ前記電気機器が電力を無駄に消費している場合を規定した、無駄条件と関係している、電気機器及び計測装置を特定し、
更に、前記無駄条件に基づいて、特定した電気機器が電力を無駄にしていると判断できる条件を設定し、
前記情報収集部は、前記計測装置が取得した前記電力情報及び前記環境情報の一方又は両方を収集し、
前記電力分析部は、前記無駄解釈部が特定した計測装置から収集された前記電力情報及び前記環境情報の一方又は両方が、前記無駄解釈部によって設定された条件を満たすかどうかを判定し、満たす場合に、電力消費の無駄が発生していると判定する、
ことを特徴とする電力管理装置。【０２４４】
（付記９）
前記利用主体が、利用者または複数の利用者が所属する組織であり、
前記無駄条件が、前記組織毎、又は前記場所毎に、設定されている、付記８に記載の電力管理装置。【０２４５】
（付記１０）
前記計測装置が、前記電気機器の消費電力を特定する電力情報を取得する電力計測装置と、前記電気機器の周辺環境を特定する環境情報を取得する周辺計測装置とであり、
前記情報収集部が、前記電力情報及び前記環境情報を収集し、そして収集の度に、前記電力情報が記録されたレコードと、前記環境情報が記録されたレコードとを作成し、
前記電力分析部が、
前記システム情報に基づいて、前記レコードに記録されている、前記電力情報と前記環境情報とを結び付け、更に、
前記電力情報が前記設定された条件を満たす場合は、前記電力情報が特定する消費電力が無駄であると判断し、前記環境情報が前記設定された条件を満たす場合は、前記環境情報に結び付けられた前記電力情報が特定する消費電力が無駄であると判断し、そして、
消費電力が無駄であると判断された前記電力情報のレコードに、前記消費電力が無駄であると判断されたことを示すマークを記録する、付記８に記載の電力管理装置。【０２４６】
（付記１１）
前記電力分析部による判定の結果、前記情報収集部が収集した前記電力情報、及び前記情報収集部が収集した前記環境情報のうち、少なくとも一つを、外部の表示装置の画面に表示させる、表示部を更に備えている、付記８に記載の電力管理装置。【０２４７】
（付記１２）
前記情報収集部が収集した前記電力情報を、外部の表示装置の画面に表示させる、表示部を更に備え、
前記表示部は、外部からの指示に応じて、前記電力情報が記録されたレコードのうち、前記マークが記録されているレコードを特定し、特定したレコードに記録されている前記電力情報を前記画面に表示する際に、前記電力情報によって特定される消費電力が無駄である旨も表示する、付記１０に記載の電力管理装置。【０２４８】
（付記１３）
前記電気機器に対して、その動作を制御する制御装置が用いられている場合に、
前記制御装置に対して、前記電気機器の消費電力が低下するように指示を行う、機器制御部を更に備えている、
付記８に記載の電力管理装置。【０２４９】
（付記１４）
前記機器制御部が、前記無駄解釈部によって特定された計測装置から収集した前記電力情報及び前記環境情報の一方又は両方が、前記無駄解釈部によって設定された条件を満たすかどうかを判定し、満たす場合に、前記制御装置に対して、前記電気機器の消費電力が低下するように指示を行う、
付記１３に記載の電力管理装置。【０２５０】
（付記１７）
外部から電力供給を受ける電気機器の消費電力を特定する電力情報または前記電気機器の周辺環境を特定する環境情報を取得する計測装置を用いて、前記電気機器の消費電力を管理するための電力管理方法であって、
（ａ）前記電気機器毎に、当該電気機器を利用する利用主体、当該電気機器に電力を供給する場所、及び当該電気機器に対応する前記計測装置を特定する、システム情報に基づいて、
前記利用主体毎、又は前記電気機器が電力の供給を受けている場所毎に、予め、前記電力情報及び前記環境情報の一方又は両方に基づいて設定され、且つ前記電気機器が電力を無駄に消費している場合を規定した、無駄条件と関係している、電気機器及び計測装置を特定する、ステップと、
（ｂ）前記無駄条件に基づいて、前記（ａ）のステップで特定した電気機器が電力を無駄にしていると判断できる条件を設定する、ステップと、
（ｃ）前記計測装置が取得した前記電力情報及び前記環境情報の一方又は両方を収集する、ステップと、
（ｄ）前記（ａ）のステップで特定した計測装置から、前記（ｃ）のステップで収集された前記電力情報及び前記環境情報の一方又は両方が、前記（ｂ）のステップで設定された条件を満たすかどうかを判定し、満たす場合に、電力消費の無駄が発生していると判定する、ステップと、
を有する、ことを特徴とする電力管理方法。【０２５１】
（付記１８）
前記利用主体が、利用者または複数の利用者が所属する組織であり、
前記無駄条件が、前記組織毎、又は前記場所毎に、設定されている、付記１７に記載の電力管理方法。【０２５２】
（付記１９）
前記計測装置が、前記電気機器の消費電力を特定する電力情報を取得する電力計測装置と、前記電気機器の周辺環境を特定する環境情報を取得する周辺計測装置とであり、
前記（ｃ）のステップにおいて、前記電力情報及び前記環境情報を収集し、そして収集の度に、前記電力情報が記録されたレコードと、前記環境情報が記録されたレコードとを作成し、
前記（ｄ）のステップにおいて、前記システム情報に基づいて、前記レコードに記録されている、前記電力情報と前記環境情報とを結び付け、更に、
前記電力情報が前記設定された条件を満たす場合は、前記電力情報が特定する消費電力が無駄であると判断し、前記環境情報が前記設定された条件を満たす場合は、前記環境情報に結び付けられた前記電力情報が特定する消費電力が無駄であると判断し、そして、
消費電力が無駄であると判断された前記電力情報のレコードに、前記消費電力が無駄であると判断されたことを示すマークを記録する、付記１７に記載の電力管理方法。【０２５３】
（付記２０）
（ｅ）前記（ｄ）のステップによる判定の結果、前記情報収集部が収集した前記電力情報、及び前記情報収集部が収集した前記環境情報のうち、少なくとも一つを、外部の表示装置の画面に表示させる、ステップを更に有している、付記１７に記載の電力管理方法。【０２５４】
（付記２１）
（ｆ）前記（ｃ）のステップで収集した前記電力情報を、外部の表示装置の画面に表示させる、ステップを更に有しており、
前記（ｆ）のステップにおいて、外部からの指示に応じて、前記電力情報が記録されたレコードのうち、前記マークが記録されているレコードを特定し、特定したレコードに記録されている前記電力情報を前記画面に表示する際に、前記電力情報によって特定される消費電力が無駄である旨も表示する、付記１９に記載の電力管理方法。【０２５５】
（付記２２）
前記電気機器に対して、その動作を制御する制御装置が用いられている場合に、
（ｇ）前記制御装置に対して、前記電気機器の消費電力が低下するように指示を行う、ステップを更に有している、
付記１７に記載の電力管理方法。【０２５６】
（付記２３）
前記（ｇ）のステップにおいて、前記（ａ）のステップで特定された計測装置から収集した前記電力情報及び前記環境情報の一方又は両方が、前記（ａ）のステップで設定された条件を満たすかどうかを判定し、満たす場合に、前記制御装置に対して、前記電気機器の消費電力が低下するように指示を行う、
付記２２に記載の電力管理方法。【０２５７】
（付記２４）
外部から電力供給を受ける電気機器の消費電力を特定する電力情報または前記電気機器の周辺環境を特定する環境情報を取得する計測装置を用いた、前記電気機器の消費電力の管理を、コンピュータによって実行するための、プログラムを記録したコンピュータ読み取り可能な記録媒体であって、
前記コンピュータに、
（ａ）前記電気機器毎に、当該電気機器を利用する利用主体、当該電気機器に電力を供給する場所、及び当該電気機器に対応する前記計測装置を特定する、システム情報に基づいて、
前記利用主体毎、又は前記電気機器が電力の供給を受けている場所毎に、予め、前記電力情報及び前記環境情報の一方又は両方に基づいて設定され、且つ前記電気機器が電力を無駄に消費している場合を規定した、無駄条件と関係している、電気機器及び計測装置を特定する、ステップと、
（ｂ）前記無駄条件に基づいて、前記（ａ）のステップで特定した電気機器が電力を無駄にしていると判断できる条件を設定する、ステップと、
（ｃ）前記計測装置が取得した前記電力情報及び前記環境情報の一方又は両方を収集する、ステップと、
（ｄ）前記（ａ）のステップで特定した計測装置から、前記（ｃ）のステップで収集された前記電力情報及び前記環境情報の一方又は両方が、前記（ｂ）のステップで設定された条件を満たすかどうかを判定し、満たす場合に、電力消費の無駄が発生していると判定する、ステップと、
を実行させる、命令を含むプログラムを記録している、コンピュータ読み取り可能な記録媒体。【０２５８】
（付記２５）
前記利用主体が、利用者または複数の利用者が所属する組織であり、
前記無駄条件が、前記組織毎、又は前記場所毎に、設定されている、付記２４に記載のコンピュータ読み取り可能な記録媒体。【０２５９】
（付記２６）
前記計測装置が、前記電気機器の消費電力を特定する電力情報を取得する電力計測装置と、前記電気機器の周辺環境を特定する環境情報を取得する周辺計測装置とであり、
前記（ｃ）のステップにおいて、前記電力情報及び前記環境情報を収集し、そして収集の度に、前記電力情報が記録されたレコードと、前記環境情報が記録されたレコードとを作成し、
前記（ｄ）のステップにおいて、前記システム情報に基づいて、前記レコードに記録されている、前記電力情報と前記環境情報とを結び付け、更に、
前記電力情報が前記設定された条件を満たす場合は、前記電力情報が特定する消費電力が無駄であると判断し、前記環境情報が前記設定された条件を満たす場合は、前記環境情報に結び付けられた前記電力情報が特定する消費電力が無駄であると判断し、そして、
消費電力が無駄であると判断された前記電力情報のレコードに、前記消費電力が無駄であると判断されたことを示すマークを記録する、付記２４に記載のコンピュータ読み取り可能な記録媒体。【０２６０】
（付記２７）
（ｅ）前記（ｄ）のステップによる判定の結果、前記情報収集部が収集した前記電力情報、及び前記情報収集部が収集した前記環境情報のうち、少なくとも一つを、外部の表示装置の画面に表示させる、ステップを、更に前記コンピュータに実行させる、付記２４に記載のコンピュータ読み取り可能な記録媒体。【０２６１】
（付記２８）
（ｆ）前記（ｃ）のステップで収集した前記電力情報を、外部の表示装置の画面に表示させる、ステップを、更に前記コンピュータに実行させ、
前記（ｆ）のステップにおいて、外部からの指示に応じて、前記電力情報が記録されたレコードのうち、前記マークが記録されているレコードを特定し、特定したレコードに記録されている前記電力情報を前記画面に表示する際に、前記電力情報によって特定される消費電力が無駄である旨も表示する、付記２６に記載のコンピュータ読み取り可能な記録媒体。【０２６２】
（付記２９）
前記電気機器の動作を制御する制御装置が更に用いられており、
（ｇ）前記制御装置に対して、前記電気機器の消費電力が低下するように指示を行う、ステップを、更に前記コンピュータに実行させる、
付記２４に記載のコンピュータ読み取り可能な記録媒体。【０２６３】
（付記３０）
前記（ｇ）のステップにおいて、前記（ａ）のステップで特定された計測装置から収集した前記電力情報及び前記環境情報の一方又は両方が、前記（ａ）のステップで設定された条件を満たすかどうかを判定し、満たす場合に、前記制御装置に対して、前記電気機器の消費電力が低下するように指示を行う、
付記２９に記載のコンピュータ読み取り可能な記録媒体。【０２６４】
以上、実施の形態を参照して本願発明を説明したが、本願発明は上記実施の形態に限定されるものではない。本願発明の構成や詳細には、本願発明のスコープ内で当業者が理解し得る様々な変更をすることができる。【０２６５】
この出願は、２０１０年１１月２９日に出願された日本出願特願２０１０−２６５１３３を基礎とする優先権を主張し、その開示の全てをここに取り込む。
【産業上の利用可能性】
【０２６６】
本発明は、家庭、オフィスビルにおいて、コンセントから先の消費電力の分析及び削減を行うエネルギーマネジメントシステム、などに有用である。また、建物のエネルギー量を把握し、周辺と連携するスマートメータ及びスマートグリッドといった基盤システムにも適用可能である。
【符号の説明】
【０２６７】
１  電力管理システム
２  電気機器
３  制御装置
４  計測装置（電力計測装置）
５  計測装置
６  データベース
１０  電力管理装置
１１  情報収集部
１２  無駄条件解釈部
１３  電力分析部
１４  機器制御部
１５  表示部
２０  利用主体情報データベース
３０  場所情報データベース
４０  周辺装置情報データベース
５０  電気機器情報データベース
６０  無駄条件データベース
７０  計測値データベース
１０１  認証部
１０２  利用主体登録部
１０３  場所登録部
１０４  周辺装置登録部
１０５  電気機器登録部
１０６  無駄条件登録部
１１１  コンセント
１１２  ＰＣ
１１３  電力リレー
１１４  電力センサ
１１５  人感センサ
１２０  コンピュータ
１２１  ＣＰＵ
１２２  メインメモリ
１２３  記憶装置
１２４  入力インターフェイス
１２５  表示コントローラ
１２６  データリーダ・ライタ
１２７  通信インターフェイス
１２８  入力機器
１２９  ディスプレイ装置
１３０  記録媒体
１３１  バス
Ｔ２０１  利用情報ＤＢにおける識別子フィールド
Ｔ２０２  利用情報ＤＢにおける名前フィールド
Ｔ２０３  利用情報ＤＢにおける所属先フィールド
Ｔ２０４  利用情報ＤＢにおける種別フィールド
Ｔ３０１  場所情報ＤＢにおける場所識別子フィールド
Ｔ３０２  場所情報ＤＢにおける場所名フィールド
Ｔ３０３  場所情報ＤＢにおける存在場所フィールド
Ｔ４０１  周辺装置情報ＤＢにおける装置識別子フィールド
Ｔ４０２  周辺装置情報ＤＢにおける装置種別フィールド
Ｔ４０３  周辺装置情報ＤＢにおける装置名フィールド
Ｔ４０４  周辺装置情報ＤＢにおけるアドレスフィールド
Ｔ４０５  周辺装置情報ＤＢにおける命令フィールド
Ｔ５０１  電気機器ＤＢにおける機器識別子フィールド
Ｔ５０２  電気機器ＤＢにおける機器種別フィールド
Ｔ５０３  電気機器ＤＢにおける機器名フィールド
Ｔ５０４  電気機器ＤＢにおける利用主体フィールド
Ｔ５０５  電気機器ＤＢにおける利用場所フィールド
Ｔ５０６  電気機器ＤＢにおける制御装置フィールド
Ｔ５０７  電気機器ＤＢにおける電力計測フィールド
Ｔ５０８  電気機器ＤＢにおける環境計測フィールド
Ｔ６０１  無駄条件ＤＢにおける識別子フィールド
Ｔ６０２  無駄条件ＤＢにおける所属種別フィールド
Ｔ６０３  無駄条件ＤＢにおける所属識別子フィールド
Ｔ６０４  無駄条件ＤＢにおける無駄条件フィールド
Ｔ７０１  計測値ＤＢにおける日時フィールド
Ｔ７０２  計測値ＤＢにおける計測装置識別子フィールド
Ｔ７０３  計測値ＤＢにおける計測値フィールド
Ｔ７０４  計測値ＤＢにおける無駄マークフィールド
【図１】
2012073714.tif 000003
【図２】
2012073714.tif 000004
【図３】
2012073714.tif 000005
【図４】
2012073714.tif 000006
【図５】
2012073714.tif 000007
【図６】
2012073714.tif 000008
【図７】
2012073714.tif 000009
【図８】
2012073714.tif 000010
【図９】
2012073714.tif 000011
【図１０】
2012073714.tif 000012
【図１１】
2012073714.tif 000013
【図１２】
2012073714.tif 000014
【図１３】
2012073714.tif 000015
【図１４】
2012073714.tif 000016
【図１５】
2012073714.tif 000017
【図１６】
2012073714.tif 000018
【図１７】
2012073714.tif 000019
【図１８】
2012073714.tif 000020
【図１９】
2012073714.tif 000021
【図２０】
2012073714.tif 000022
【図２１】
2012073714.tif 000023
【図２２】
2012073714.tif 000024
【図２３】
2012073714.tif 000025
【図２４】
2012073714.tif 000026
【図２５】
2012073714.tif 000027
【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
外部から電力供給を受ける電気機器の消費電力を管理する電力管理装置と、前記電気機器の消費電力を特定する電力情報及び前記電気機器の周辺環境を特定する環境情報の一方又は両方を取得する計測装置と、データベースと、を備え、
前記データベースは、
前記電気機器毎に、当該電気機器を利用する利用主体、当該電気機器に電力を供給する場所、及び当該電気機器に対応する前記計測装置を特定する情報を、システム情報として格納し、更に、
予め、前記利用主体毎、又は前記電気機器が電力の供給を受けている場所毎に、前記電力情報及び前記環境情報の一方又は両方に基づいて設定され、且つ、前記電気機器が電力を無駄に消費している場合を規定している、無駄条件を格納し、
前記電力管理装置は、
前記システム情報に基づいて前記無駄条件と関係している電気機器及び計測装置を特定し、更に、前記無駄条件に基づいて、特定した電気機器が電力を無駄にしていると判断できる条件を設定する、無駄条件解釈部と、
前記計測装置が取得した前記電力情報及び前記環境情報の一方又は両方を収集する情報収集部と、
前記無駄解釈部が特定した計測装置から収集された前記電力情報及び前記環境情報の一方又は両方が、前記無駄解釈部によって設定された条件を満たすかどうかを判定し、満たす場合に、電力消費の無駄が発生していると判定する、電力分析部と、
を備えている、ことを特徴とする電力管理システム。
【請求項２】
前記利用主体が、利用者または複数の利用者が所属する組織であり、
前記無駄条件が、前記組織毎、又は前記場所毎に、設定されている、請求項１に記載の電力管理システム。
【請求項３】
当該電力管理システムが、前記計測装置として、前記電気機器の消費電力を特定する電力情報を取得する電力計測装置と、前記電気機器の周辺環境を特定する環境情報を取得する周辺計測装置と、を備えており、
前記情報収集部が、前記電力情報及び前記環境情報を収集し、そして収集の度に、前記電力情報が記録されたレコードと、前記環境情報が記録されたレコードとを作成し、
前記電力分析部が、
前記システム情報に基づいて、前記レコードに記録されている、前記電力情報と前記環境情報とを結び付け、更に、
前記電力情報が前記設定された条件を満たす場合は、前記電力情報が特定する消費電力が無駄であると判断し、前記環境情報が前記設定された条件を満たす場合は、前記環境情報に結び付けられた前記電力情報が特定する消費電力が無駄であると判断し、そして、
消費電力が無駄であると判断された前記電力情報のレコードに、前記消費電力が無駄であると判断されたことを示すマークを記録する、請求項１または２に記載の電力管理システム。
【請求項４】
前記電力管理装置が、前記電力分析部による判定の結果、前記情報収集部が収集した前記電力情報、及び前記情報収集部が収集した前記環境情報のうち、少なくとも一つを、外部の表示装置の画面に表示させる、表示部を更に備えている、請求項１〜３のいずれかに記載の電力管理システム。
【請求項５】
前記電力管理装置が、前記情報収集部が収集した前記電力情報を、外部の表示装置の画面に表示させる、表示部を更に備え、
前記表示部は、外部からの指示に応じて、前記電力情報が記録されたレコードのうち、前記マークが記録されているレコードを特定し、特定したレコードに記録されている前記電力情報を前記画面に表示する際に、前記電力情報によって特定される消費電力が無駄である旨も表示する、請求項３に記載の電力管理システム。
【請求項６】
当該電力管理システムが、前記電気機器の動作を制御する制御装置を更に備え、
前記電力管理装置が、前記制御装置に対して、前記電気機器の消費電力が低下するように指示を行う、機器制御部を更に備えている、
請求項１〜５のいずれかに記載の電力管理システム。
【請求項７】
前記機器制御部が、前記無駄解釈部によって特定された計測装置から収集した前記電力情報及び前記環境情報の一方又は両方が、前記無駄解釈部によって設定された条件を満たすかどうかを判定し、満たす場合に、前記制御装置に対して、前記電気機器の消費電力が低下するように指示を行う、
請求項６に記載の電力管理システム。
【請求項８】
外部から電力供給を受ける電気機器の消費電力を特定する電力情報または前記電気機器の周辺環境を特定する環境情報を取得する計測装置を用いて、前記電気機器の消費電力を管理する電力管理装置であって、
無駄条件解釈部と、情報収集部と、電力分析部とを備え、
前記無駄条件解釈部は、
前記電気機器毎に、当該電気機器を利用する利用主体、当該電気機器に電力を供給する場所、及び当該電気機器に対応する前記計測装置を特定する、システム情報に基づいて、
前記利用主体毎、又は前記電気機器が電力の供給を受けている場所毎に、予め、前記電力情報及び前記環境情報の一方又は両方に基づいて設定され、且つ前記電気機器が電力を無駄に消費している場合を規定した、無駄条件と関係している、電気機器及び計測装置を特定し、
更に、前記無駄条件に基づいて、特定した電気機器が電力を無駄にしていると判断できる条件を設定し、
前記情報収集部は、前記計測装置が取得した前記電力情報及び前記環境情報の一方又は両方を収集し、
前記電力分析部は、前記無駄解釈部が特定した計測装置から収集された前記電力情報及び前記環境情報の一方又は両方が、前記無駄解釈部によって設定された条件を満たすかどうかを判定し、満たす場合に、電力消費の無駄が発生していると判定する、
ことを特徴とする電力管理装置。
【請求項９】
外部から電力供給を受ける電気機器の消費電力を特定する電力情報または前記電気機器の周辺環境を特定する環境情報を取得する計測装置を用いて、前記電気機器の消費電力を管理するための電力管理方法であって、
（ａ）前記電気機器毎に、当該電気機器を利用する利用主体、当該電気機器に電力を供給する場所、及び当該電気機器に対応する前記計測装置を特定する、システム情報に基づいて、
前記利用主体毎、又は前記電気機器が電力の供給を受けている場所毎に、予め、前記電力情報及び前記環境情報の一方又は両方に基づいて設定され、且つ前記電気機器が電力を無駄に消費している場合を規定した、無駄条件と関係している、電気機器及び計測装置を特定する、ステップと、
（ｂ）前記無駄条件に基づいて、前記（ａ）のステップで特定した電気機器が電力を無駄にしていると判断できる条件を設定する、ステップと、
（ｃ）前記計測装置が取得した前記電力情報及び前記環境情報の一方又は両方を収集する、ステップと、
（ｄ）前記（ａ）のステップで特定した計測装置から、前記（ｃ）のステップで収集された前記電力情報及び前記環境情報の一方又は両方が、前記（ｂ）のステップで設定された条件を満たすかどうかを判定し、満たす場合に、電力消費の無駄が発生していると判定する、ステップと、
を有する、ことを特徴とする電力管理方法。
【請求項１０】
外部から電力供給を受ける電気機器の消費電力を特定する電力情報または前記電気機器の周辺環境を特定する環境情報を取得する計測装置を用いた、前記電気機器の消費電力の管理を、コンピュータによって実行するためのプログラムであって、
前記コンピュータに、
（ａ）前記電気機器毎に、当該電気機器を利用する利用主体、当該電気機器に電力を供給する場所、及び当該電気機器に対応する前記計測装置を特定する、システム情報に基づいて、
前記利用主体毎、又は前記電気機器が電力の供給を受けている場所毎に、予め、前記電力情報及び前記環境情報の一方又は両方に基づいて設定され、且つ前記電気機器が電力を無駄に消費している場合を規定した、無駄条件と関係している、電気機器及び計測装置を特定する、ステップと、
（ｂ）前記無駄条件に基づいて、前記（ａ）のステップで特定した電気機器が電力を無駄にしていると判断できる条件を設定する、ステップと、
（ｃ）前記計測装置が取得した前記電力情報及び前記環境情報の一方又は両方を収集する、ステップと、
（ｄ）前記（ａ）のステップで特定した計測装置から、前記（ｃ）のステップで収集された前記電力情報及び前記環境情報の一方又は両方が、前記（ｂ）のステップで設定された条件を満たすかどうかを判定し、満たす場合に、電力消費の無駄が発生していると判定する、ステップと、
を実行させる、命令を含むプログラム。
【手続補正３】
【補正対象書類名】明細書
【補正対象項目名】０００１
【補正方法】変更
【補正の内容】
【０００１】
本発明は、外部電源によって駆動される電気機器の消費電力を管理する電力管理システム、それを構成する電力管理装置、更には、電力管理方法、及びこれらを実現するためのプログラムに関する。
【手続補正４】
【補正対象書類名】明細書
【補正対象項目名】００２０
【補正方法】変更
【補正の内容】
【００２０】
本発明の目的の一例は、上記問題を解消し、電気機器を利用する側の状況を考慮して消費電力の分析を行い得、且つ、管理対象となる電気機器の数の増加にも対応し得る、電力管理システム、電力管理装置、電力管理方法、及びプログラムを提供することにある。
【手続補正５】
【補正対象書類名】明細書
【補正対象項目名】００２４
【補正方法】変更
【補正の内容】
【００２４】
そして、上記目的を達成するため、本発明の一側面におけるプログラムは、外部から電力供給を受ける電気機器の消費電力を特定する電力情報または前記電気機器の周辺環境を特定する環境情報を取得する計測装置を用いた、前記電気機器の消費電力の管理を、コンピュータによって実行するためのプログラムであって、
前記コンピュータに、
（ａ）前記電気機器毎に、当該電気機器を利用する利用主体、当該電気機器に電力を供給する場所、及び当該電気機器に対応する前記計測装置を特定する、システム情報に基づいて、
前記利用主体毎、又は前記電気機器が電力の供給を受けている場所毎に、予め、前記電力情報及び前記環境情報の一方又は両方に基づいて設定され、且つ前記電気機器が電力を無駄に消費している場合を規定した、無駄条件と関係している、電気機器及び計測装置を特定する、ステップと、
（ｂ）前記無駄条件に基づいて、前記（ａ）のステップで特定した電気機器が電力を無駄にしていると判断できる条件を設定する、ステップと、
（ｃ）前記計測装置が取得した前記電力情報及び前記環境情報の一方又は両方を収集する、ステップと、
（ｄ）前記（ａ）のステップで特定した計測装置から、前記（ｃ）のステップで収集された前記電力情報及び前記環境情報の一方又は両方が、前記（ｂ）のステップで設定された条件を満たすかどうかを判定し、満たす場合に、電力消費の無駄が発生していると判定する、ステップと、
を実行させる、命令を含むことを特徴とする。
【手続補正６】
【補正対象書類名】明細書
【補正対象項目名】００４３
【補正方法】変更
【補正の内容】
【００４３】
また、本実施の形態では、各データベースへの情報の格納は、後述するように、外部からの指示に応じて、電力管理装置１０の情報登録部１００によって行われる。更に、データベース６は、図１の例では、電力管理装置１０とは別のコンピュータによって構築されているが、本実施の形態は、データベース６が電力管理装置１０内に構築されている態様であっても良い。
【手続補正７】
【補正対象書類名】明細書
【補正対象項目名】００６８
【補正方法】変更
【補正の内容】
【００６８】
所属識別子フィールドＴ６０３は、「当該無駄条件が所属している組織の識別子」、または「当該無駄条件が所属している場所の識別子」を格納する。例えば、所属種別フィールドＴ６０２の値が「組織」を示す場合は、所属種別フィールドＴ６０３には、利用主体情報ＤＢ２０の識別子フィールドＴ２０１に格納されている値（図２参照）が格納される。一方、所属種別フィールドＴ６０２の値が「場所」を示す場合は、所属種別フィールドＴ６０３には、場所情報ＤＢ３０の場所識別子フィールドＴ３０１に格納されている値（図３参照）が格納される。
【手続補正８】
【補正対象書類名】明細書
【補正対象項目名】００９６
【補正方法】変更
【補正の内容】
【００９６】
ステップＡ３またはステップＡ４の実行後、電力管理装置１０における処理は一旦終了するが、その後、再度ステップＡ１が実行される。つまり、ステップＡ１〜Ａ４は、電力管理が必要な間は、繰り返し実行される。
【手続補正９】
【補正対象書類名】明細書
【補正対象項目名】０１００
【補正方法】変更
【補正の内容】
【０１００】
続いて、無駄条件解釈部１２は、無駄条件ＤＢ６０の所属種別フィールドＴ６０２、及び所属識別子フィールドＴ６０３に格納されている情報に基づき、電気機器情報などのシステム情報を参照しながら、対象となる電気機器２、電力計測装置４、及び環境計測装置５を特定する。
【手続補正１０】
【補正対象書類名】明細書
【補正対象項目名】０１０１
【補正方法】変更
【補正の内容】
【０１０１】
その後、無駄条件解釈部１２は、抽出した無駄条件と、特定した電気機器２、電力計測装置４、及び環境計測装置５を示す情報とを、判定条件として、電力分析部１３に伝達する。
【手続補正１１】
【補正対象書類名】明細書
【補正対象項目名】０１０３
【補正方法】変更
【補正の内容】
【０１０３】
具体的には、ステップＡ３２では、電力分析部１３は、情報収集部１１が収集し、計測値ＤＢ７０に新たに追加されたレコードを対象として、無駄条件解釈部１２から伝達された、対象となる電気機器２、電力計測装置４、及び環境計測装置５、計測装置の計測値、及び無駄条件（即ち、判定条件）が当てはまるレコードを検索する。
【手続補正１２】
【補正対象書類名】明細書
【補正対象項目名】０１１６
【補正方法】変更
【補正の内容】
【０１１６】
続いて、無駄条件解釈部１２は、無駄条件ＤＢ６０の所属種別フィールドＴ６０２及び所属識別子フィールドＴ６０３に格納されている情報に基づいて、電気機器情報などのシステム情報を参照しながら、対象となる電気機器２、電力計測装置４、及び環境計測装置５を特定する。
【手続補正１３】
【補正対象書類名】明細書
【補正対象項目名】０１１７
【補正方法】変更
【補正の内容】
【０１１７】
その後、無駄条件解釈部１２は、抽出した無駄条件と、特定した電気機器２、電力計測装置４、及び環境計測装置５を示す情報とを、判定条件として、機器制御部１４に伝達する。
【手続補正１４】
【補正対象書類名】明細書
【補正対象項目名】０１１９
【補正方法】変更
【補正の内容】
【０１１９】
具体的には、ステップＡ４２では、機器制御部１４は、情報収集部１１が収集し、計測値ＤＢ７０に新たに追加されたレコードを対象として、無駄条件解釈部１２から伝達された、対象となる電気機器２、電力計測装置４、及び環境計測装置５、計測装置の計測値、及び無駄条件（即ち、判定条件）が当てはまるレコードを検索する。
【手続補正１５】
【補正対象書類名】明細書
【補正対象項目名】０１２２
【補正方法】変更
【補正の内容】
【０１２２】
その後、機器制御部１４は、制御装置３の装置識別子に基づいて、周辺装置情報ＤＢ４０を検索し、アドレスフィールドＴ４０４（図４参照）から制御装置３のＩＰアドレスを取得する。更に、機器制御部１４は、命令フィールドＴ４０５から制御装置３を制御するための命令を取得する。そして、機器制御部１４は、対象となる制御装置３に対する命令を取得すると、制御装置３に、取得した命令を実行させる。
【手続補正１６】
【補正対象書類名】明細書
【補正対象項目名】０１２４
【補正方法】変更
【補正の内容】
【０１２４】
このように、本実施の形態における電力管理システム１を用いれば、建築物内に存在するコンセントそれぞれに接続した多数の電気機器２の消費電力を、電気機器２を利用する人毎、又は組織毎に集計できる。また、電力管理システム１を用いれば、無駄な消費電力の分析、更には削減を行うこともできる。
【手続補正１７】
【補正対象書類名】明細書
【補正対象項目名】０１５６
【補正方法】変更
【補正の内容】
【０１５６】
ステップＳ５またはステップＳ６の実行後、電力管理装置１０における処理は一旦終了するが、その後は、再度ステップＳ３が実行される。本実施例では、ステップＳ３〜Ｓ６が、電力管理が必要な間、繰り返し実行される。
【手続補正１８】
【補正対象書類名】明細書
【補正対象項目名】０１９０
【補正方法】変更
【補正の内容】
【０１９０】
ここまでの入力が完了すると、管理者は、登録ボタン４０６を押下する。これにより、電力リレー１３に関する情報の登録が確定される。そして、ステップＳ１０５は、電力センサ１１４、人感センサ１１５についても同様に実行され、結果、図４に示すように、周辺装置情報ＤＢ４０に各装置の情報が登録される。全ての登録が完了すると、ステップＳ１０６が実行される。
【手続補正１９】
【補正対象書類名】明細書
【補正対象項目名】０２１７
【補正方法】変更
【補正の内容】
【０２１７】
次に、実施の形態１で示した図９を参照しながら、図１３に示したステップＳ５を更に具体的に説明する。また、図１３に示したステップＳ５は、図９に示すステップＡ３１〜Ａ３３によって構成されているとする。
【手続補正２０】
【補正対象書類名】明細書
【補正対象項目名】０２２０
【補正方法】変更
【補正の内容】
【０２２０】
続いて、無駄条件解釈部１２は、無駄条件ＤＢ６０の所属種別フィールドＴ６０２、及び所属識別子フィールドＴ６０３に格納されている情報に基づいて、電気機器情報などのシステム情報を参照しながら、対象となる電気機器２、電力計測装置４、及び環境計測装置５を確定する。
【手続補正２１】
【補正対象書類名】明細書
【補正対象項目名】０２２１
【補正方法】変更
【補正の内容】
【０２２１】
例えば、無駄条件ＤＢに格納されている情報が、図６に示す情報であるとすると、無駄条件解釈部１２は、無駄条件フィールドＴ６０４の値から、無駄な電力を消費していると思われる場合に着目する計測装置として「人感センサ」に着目する。そして、無駄条件解釈部１２は、その時の「人感センサ」の計測値が「０」となり、判定条件が「＝＝（一致する場合）」となる、という情報を抽出する。また、無駄条件解釈部１２は、制御する対象の電気機器として「全てのＰＣ」という情報を抽出し、更に、その時の制御内容として「サスペンド」という情報も抽出する。
【手続補正２２】
【補正対象書類名】明細書
【補正対象項目名】０２２３
【補正方法】変更
【補正の内容】
【０２２３】
その後、無駄条件解釈部１２は、抽出した無駄条件と、特定した電気機器２、電力計測装置４、及び環境計測装置５を示す情報とを、判定条件として、電力分析部１３に伝達する。
【手続補正２３】
【補正対象書類名】明細書
【補正対象項目名】０２２８
【補正方法】変更
【補正の内容】
【０２２８】
その結果、本実施例では、環境情報のレコードが、検索されたレコードに一致するので、電力分析部１３は、この環境情報に対応する電力情報で特定される消費電力は、無駄な電力であると判断する。そして、電力分析部１３は、計測値ＤＢ７０の該当する無駄マークフィールドＴ７０４に無駄電力である事を示す値”１”を格納する。追加された全てのレコードについて確認が終了すると、ステップＡ３３が実行される。
【手続補正２４】
【補正対象書類名】明細書
【補正対象項目名】０２５３
【補正方法】変更
【補正の内容】
【０２５３】
（付記２０）
（ｅ）前記（ｄ）のステップによる判定の結果、前記ステップ（ｃ）で収集した前記電力情報、及び前記ステップ（ｃ）で収集した前記環境情報のうち、少なくとも一つを、外部の表示装置の画面に表示させる、ステップを更に有している、付記１７に記載の電力管理方法。
【手続補正２５】
【補正対象書類名】明細書
【補正対象項目名】０２５７
【補正方法】変更
【補正の内容】
【０２５７】
（付記２４）
外部から電力供給を受ける電気機器の消費電力を特定する電力情報または前記電気機器の周辺環境を特定する環境情報を取得する計測装置を用いた、前記電気機器の消費電力の管理を、コンピュータによって実行するための、プログラムであって、
前記コンピュータに、
（ａ）前記電気機器毎に、当該電気機器を利用する利用主体、当該電気機器に電力を供給する場所、及び当該電気機器に対応する前記計測装置を特定する、システム情報に基づいて、
前記利用主体毎、又は前記電気機器が電力の供給を受けている場所毎に、予め、前記電力情報及び前記環境情報の一方又は両方に基づいて設定され、且つ前記電気機器が電力を無駄に消費している場合を規定した、無駄条件と関係している、電気機器及び計測装置を特定する、ステップと、
（ｂ）前記無駄条件に基づいて、前記（ａ）のステップで特定した電気機器が電力を無駄にしていると判断できる条件を設定する、ステップと、
（ｃ）前記計測装置が取得した前記電力情報及び前記環境情報の一方又は両方を収集する、ステップと、
（ｄ）前記（ａ）のステップで特定した計測装置から、前記（ｃ）のステップで収集された前記電力情報及び前記環境情報の一方又は両方が、前記（ｂ）のステップで設定された条件を満たすかどうかを判定し、満たす場合に、電力消費の無駄が発生していると判定する、ステップと、
を実行させる、命令を含むプログラム。
【手続補正２６】
【補正対象書類名】明細書
【補正対象項目名】０２５８
【補正方法】変更
【補正の内容】
【０２５８】
（付記２５）
前記利用主体が、利用者または複数の利用者が所属する組織であり、
前記無駄条件が、前記組織毎、又は前記場所毎に、設定されている、付記２４に記載のプログラム。
【手続補正２７】
【補正対象書類名】明細書
【補正対象項目名】０２５９
【補正方法】変更
【補正の内容】
【０２５９】
（付記２６）
前記計測装置が、前記電気機器の消費電力を特定する電力情報を取得する電力計測装置と、前記電気機器の周辺環境を特定する環境情報を取得する周辺計測装置とであり、
前記（ｃ）のステップにおいて、前記電力情報及び前記環境情報を収集し、そして収集の度に、前記電力情報が記録されたレコードと、前記環境情報が記録されたレコードとを作成し、
前記（ｄ）のステップにおいて、前記システム情報に基づいて、前記レコードに記録されている、前記電力情報と前記環境情報とを結び付け、更に、
前記電力情報が前記設定された条件を満たす場合は、前記電力情報が特定する消費電力が無駄であると判断し、前記環境情報が前記設定された条件を満たす場合は、前記環境情報に結び付けられた前記電力情報が特定する消費電力が無駄であると判断し、そして、
消費電力が無駄であると判断された前記電力情報のレコードに、前記消費電力が無駄であると判断されたことを示すマークを記録する、付記２４に記載のプログラム。
【手続補正２８】
【補正対象書類名】明細書
【補正対象項目名】０２６０
【補正方法】変更
【補正の内容】
【０２６０】
（付記２７）
（ｅ）前記（ｄ）のステップによる判定の結果、前記ステップ（ｃ）で収集した前記電力情報、及び前記ステップ（ｃ）で収集した前記環境情報のうち、少なくとも一つを、外部の表示装置の画面に表示させる、ステップを、更に前記コンピュータに実行させる、付記２４に記載のプログラム。
【手続補正２９】
【補正対象書類名】明細書
【補正対象項目名】０２６１
【補正方法】変更
【補正の内容】
【０２６１】
（付記２８）
（ｆ）前記（ｃ）のステップで収集した前記電力情報を、外部の表示装置の画面に表示させる、ステップを、更に前記コンピュータに実行させ、
前記（ｆ）のステップにおいて、外部からの指示に応じて、前記電力情報が記録されたレコードのうち、前記マークが記録されているレコードを特定し、特定したレコードに記録されている前記電力情報を前記画面に表示する際に、前記電力情報によって特定される消費電力が無駄である旨も表示する、付記２６に記載のプログラム。
【手続補正３０】
【補正対象書類名】明細書
【補正対象項目名】０２６２
【補正方法】変更
【補正の内容】
【０２６２】
（付記２９）
前記電気機器の動作を制御する制御装置が更に用いられており、
（ｇ）前記制御装置に対して、前記電気機器の消費電力が低下するように指示を行う、ステップを、更に前記コンピュータに実行させる、
付記２４に記載のプログラム。
【手続補正３１】
【補正対象書類名】明細書
【補正対象項目名】０２６３
【補正方法】変更
【補正の内容】
【０２６３】
（付記３０）
前記（ｇ）のステップにおいて、前記（ａ）のステップで特定された計測装置から収集した前記電力情報及び前記環境情報の一方又は両方が、前記（ａ）のステップで設定された条件を満たすかどうかを判定し、満たす場合に、前記制御装置に対して、前記電気機器の消費電力が低下するように指示を行う、
付記２９に記載のプログラム。
【手続補正３２】
【補正対象書類名】図面
【補正対象項目名】図１２
【補正方法】変更
【補正の内容】
【図１２】
2012073714.tif 000028
【国際調査報告】
2012073714.tif 000029
2012073714.tif 000030